(57)【要約】【課題】放送波で送信される圧縮されたコンテンツについて、ユーザが所望するコンテンツを、高品質なままに提供するコンテンツ配信システムを実現する。【解決手段】本発明に係るデジタルテレビ１００は、放送波により伝送される放送コンテンツと同じ内容のコンテンツであって、該放送コンテンツより高い品質を有する高品質コンテンツを再生するための高品質データをあらかじめ取得する高品質コンテンツ取得部２３と、上記取得された高品質データに基づいて、上記放送コンテンツの放送に同期して上記高品質コンテンツを再生するコンテンツ再生部２４とを備えている。したがって、放送波で送信される圧縮されたコンテンツについて、ユーザが所望するコンテンツを、高品質なままに再生することが可能となる。【選択図】図１
2007189554.tif 000002
【特許請求の範囲】
【請求項１】
放送波により伝送される放送コンテンツと同じ内容のコンテンツであって、該放送コンテンツより高い品質を有する高品質コンテンツを再生するための高品質データをあらかじめ取得する高品質データ取得手段と、
上記高品質データ取得手段が取得した上記高品質データに基づいて、上記放送コンテンツの放送に同期して上記高品質コンテンツを再生するコンテンツ再生手段とを備えていることを特徴とするコンテンツ再生装置。
【請求項２】
上記高品質データは、上記高品質コンテンツのデータであることを特徴とする請求項１に記載のコンテンツ再生装置。
【請求項３】
上記高品質データは、放送コンテンツを高品質コンテンツへと補正するための補正情報であり、
上記補正情報に基づき、放送コンテンツを高品質コンテンツへと補正するコンテンツ補正手段を備え、
上記コンテンツ再生手段は、上記コンテンツ補正手段が補正した高品質コンテンツを再生することを特徴とする請求項１に記載のコンテンツ再生装置。
【請求項４】
上記放送コンテンツは、上記高品質コンテンツに非可逆圧縮符号化処理を適用したものであり、
上記補正情報は、上記高品質コンテンツと上記放送コンテンツとの差分値を含むことを特徴とする請求項３に記載のコンテンツ再生装置。
【請求項５】
上記コンテンツ再生手段は、放送コンテンツを受信して再生する放送受像部が、放送コンテンツを受信して再生する時に、該放送コンテンツに対応する高品質コンテンツを再生することを特徴とする請求項１に記載のコンテンツ再生装置。
【請求項６】
上記放送コンテンツに関するコンテンツ情報を取得する情報取得手段を備え、
上記高品質データ取得手段は、取得した高品質データを、上記情報取得手段が取得した、該高品質データが対応する放送コンテンツに関するコンテンツ情報に関連付けて高品質データ記録部に記録することを特徴とする請求項１に記載のコンテンツ再生装置。
【請求項７】
上記コンテンツ情報は、上記放送コンテンツの放送開始日時情報を含み、
上記コンテンツ再生手段は、上記放送コンテンツの放送開始日時に、該放送開始日時情報に関連付けられた高品質データに基づいて、高品質コンテンツの再生を開始することを特徴とする請求項６に記載のコンテンツ再生装置。
【請求項８】
上記コンテンツ情報は、上記放送コンテンツの放送終了日時情報を含み、
上記放送コンテンツの放送終了日時を経過すると、該放送終了日時情報に関連付けられた高品質データを、上記高品質データ記録部から削除するコンテンツ管理手段を備えていることを特徴とする請求項６に記載のコンテンツ再生装置。
【請求項９】
ユーザが視聴または録画を所望する放送コンテンツの指定を受け付ける操作受付手段を備え、
上記高品質データ取得手段は、上記操作受付手段が受け付けた、指定の放送コンテンツに対応する高品質データを取得することを特徴とする請求項１に記載のコンテンツ再生装置。
【請求項１０】
上記操作受付手段が、ユーザより、視聴を所望する放送コンテンツの指定を受け付けた受付時刻を取得する時刻取得手段と、
上記高品質データ取得手段が上記指定の放送コンテンツに対応する高品質データを取得するための所要時間を算出する取得時間算出手段と、
上記受付時刻に上記所要時間を加えた取得完了時刻が、上記放送コンテンツの放送開始日時より遅れる場合に、上記高品質データを取得しないよう上記高品質データ取得手段を制御する取得制御手段とを備えていることを特徴とする請求項９に記載のコンテンツ再生装置。
【請求項１１】
放送波により伝送される放送コンテンツと同じ内容のコンテンツであって、該放送コンテンツより高い品質を有する高品質コンテンツを再生するための高品質データを要求する要求メッセージを、請求項１から１０のいずれか１項に記載のコンテンツ再生装置より受信する予約受付手段と、
上記要求メッセージが指定する高品質データを、上記コンテンツ再生装置に配信する高品質データ配信手段とを備えていることを特徴とするコンテンツ提供サーバ。
【請求項１２】
放送波により伝送される放送コンテンツと同じ内容のコンテンツであって、該放送コンテンツより高い品質を有する高品質コンテンツを再生するための高品質データを、放送コンテンツごとに記録する高品質データ記録部と、
クライアント端末装置より受信した、上記高品質データを要求する要求メッセージに、上記高品質データが対応する放送コンテンツの放送開始日時情報を関連付けた予約情報を管理する予約受付手段と、
上記予約情報に基づき、上記高品質データ記録部に記録された高品質データの、上記クライアント端末装置への配信が上記放送開始日時より前に完了するよう、配信を開始する高品質データ配信手段とを備えていることを特徴とするコンテンツ提供サーバ。
【請求項１３】
放送波により伝送される放送コンテンツと同じ内容のコンテンツであって、該放送コンテンツより高い品質を有する高品質コンテンツに非可逆圧縮符号化処理を適用することにより、上記放送コンテンツを作成する放送コンテンツ作成手段と、
上記高品質コンテンツと上記放送コンテンツとの差分値を、放送コンテンツを高品質コンテンツへと補正するための補正情報として作成する補正情報作成手段とを備えていることを特徴とする放送コンテンツ供給装置。
【請求項１４】
放送波により伝送される放送コンテンツと同じ内容のコンテンツであって、該放送コンテンツより高い品質を有する高品質コンテンツを再生するための高品質データを提供する請求項１１または１２に記載のコンテンツ提供サーバと、
高品質データを要求する要求メッセージを上記コンテンツ提供サーバに送信することにより該コンテンツ提供サーバから提供を受けた高品質データに基づいて、上記放送コンテンツの放送に同期して高品質コンテンツを再生する請求項１から１０に記載のコンテンツ再生装置と含むことを特徴とするコンテンツ配信システム。
【請求項１５】
放送波により伝送される放送コンテンツと同じ内容のコンテンツであって、該放送コンテンツより高い品質を有する高品質コンテンツを再生するための高品質データを、上記放送コンテンツの供給元に属する放送コンテンツ供給装置より取得して、提供する請求項１１または１２に記載のコンテンツ提供サーバと、
高品質データを要求する要求メッセージを上記コンテンツ提供サーバに送信することにより該コンテンツ提供サーバから提供を受けた高品質データに基づいて、上記放送コンテンツの放送に同期して上記高品質コンテンツを再生する請求項１から１０に記載のコンテンツ再生装置と含み、
上記コンテンツ提供サーバは、
高品質データを利用した旨を通知する利用通知メッセージを上記コンテンツ再生装置より受信し、該利用通知メッセージに、
（１）上記コンテンツ再生装置のユーザに請求する、上記高品質データの利用料金を示す第１情報、
（２）上記供給元に支払う、上記高品質データの使用料を示す第２情報、および、
（３）上記供給元より回収する、上記高品質データの販売に係る代行手数料を示す第３情報を関連付けた課金情報を管理する課金処理手段を備えていることを特徴とするコンテンツ配信システム。
【請求項１６】
放送波により伝送される放送コンテンツと同じ内容のコンテンツであって、該放送コンテンツより高い品質を有する高品質コンテンツを再生するための高品質データをあらかじめ取得する第１ステップと、
上記第１ステップにて取得した上記高品質データに基づいて、上記放送コンテンツの放送に同期して上記高品質コンテンツを再生する第２ステップとを含むことを特徴とするコンテンツ再生方法。
【請求項１７】
放送波により伝送される放送コンテンツと同じ内容のコンテンツであって、該放送コンテンツより高い品質を有する高品質コンテンツを再生するための高品質データを要求する要求メッセージを、請求項１から１０のいずれか１項に記載のコンテンツ再生装置より受信する第１ステップと、
上記第１ステップにて受信した要求メッセージが指定する高品質データを、上記コンテンツ再生装置に配信する第２ステップとを含むことを特徴とするコンテンツ提供方法。
【請求項１８】
放送波により伝送される放送コンテンツと同じ内容のコンテンツであって、該放送コンテンツより高い品質を有する高品質コンテンツとしての原始コンテンツに非可逆圧縮符号化処理を適用することにより、上記放送コンテンツを作成する放送コンテンツ供給装置における補正情報生成方法であって、
上記原始コンテンツと上記放送コンテンツとの差分値を、放送コンテンツを高品質コンテンツへと補正するための補正情報として作成するステップを含むことを特徴とする補正情報生成方法。
【請求項１９】
コンピュータを、請求項１から１０のいずれか１項に記載のコンテンツ再生装置、請求項１１または１２に記載のコンテンツ提供装置、または、請求項１３に記載の放送コンテンツ供給装置の各手段として機能させるための制御プログラム。
【請求項２０】
請求項１９に記載の制御プログラムを記録したコンピュータ読み取り可能な記録媒体。
【発明の詳細な説明】
【技術分野】
【０００１】
本発明は、コンテンツ配信システムに関し、特に、高品質なデジタルコンテンツを提供するコンテンツ再生装置、コンテンツ提供サーバ、および、それらを有するコンテンツ配信システムに関するものである。
【背景技術】
【０００２】
地上波デジタル放送は、２００３年１２月に３大都市圏でサービスが開始されて以来、徐々に全国展開されている。これに伴い、このデジタル放送受信機として、例えば、デジタルテレビなどが、一般的に広く普及するようになってきた。そして、近年のデジタルテレビにおいては、液晶ディスプレイを有する液晶テレビに代表されるように、フラットで薄型の大画面で、きれいな映像を楽しむことが可能になっている。
【０００３】
また、放送波によるデジタルコンテンツの配信サービスが普及する一方で、インターネットを利用した通信手段においては、光ケーブル等の専用媒体の普及に伴って、高速・大容量の通信が可能なブロードバンドサービスが発達してきた。従来の通信速度（約１０ｋｂｐｓ）から、Ｇｂｐｓ以上の通信速度を有する伝送サービスが構築されつつあり、今後も大容量の高品質データの送受信が高速化されることが期待されている。これらの通信手段を利用した多チャンネルのデジタル映像配信サービスも普及している。
【０００４】
このように、放送波やインターネットを介して配信されるデジタルコンテンツについては、今後もより高品質なデータを享受したいというユーザのニーズが高まることが予想される。したがって、通信手段における、容量、通信速度、通信コストなどの制約を克服して、ユーザがより高品質なコンテンツを享受できるようなコンテンツ配信システムを提供することが強く望まれる。
【０００５】
地上波デジタル放送では、アナログ放送の１ｃｈ分の周波数帯（６ＭＨｚ）につき、ＨＤ（high-definition）（高精細・高画質な解像度）クラスのコンテンツを１つ、あるいは、ＳＤ（Standard-Definition）（標準の解像度）クラスのコンテンツを３つ放送することが可能である。これにより、アナログ放送に比べ、映像・音声をより精細に再現し、品質のよいコンテンツを提供できる。デジタル放送における、このような精細度の高いデジタルコンテンツの配信は、ＭＰＥＧ２などに代表される、デジタルデータの圧縮技術が大きく貢献している（非特許文献１）。
【０００６】
ところが、例えば、映像に関して言えば、従来のデジタル放送により提供される映像は、非常にきれいな映像と一般には言われているものの、実際に撮影されている実物と照らし合わせると、質感や光沢、色合いを忠実に再現できていない。誰もが感じることであるが、市販のデジタルビデオカメラで実際に撮像した映像をテレビの画面で表示すると、人物の表情や風景が、実際に撮影した時とは異なる。これらの質感や光沢、色合いを再現する際に、その忠実さが損なわれる要因は、大きく分けて２つある。第１の要因は、従来のコンテンツ再生装置の表示手段の色再現性である。第２の要因は、デジタルコンテンツに対する圧縮技術である。
【０００７】
以下、第２の要因（圧縮技術）についてより詳細に説明する。例えば、コンテンツ製作会社では、高解像度のカメラで撮影したコンテンツを放送波でブロードキャストするために、一定の帯域に収めるために圧縮技術を用いる。この従来のコンテンツ圧縮処理の概略を図１６に示す。
【０００８】
まず、高解像度のカメラで人物や風景を撮影の対象物として撮影したデータを、高解像度コンテンツとして、記録媒体（デジタルテープやメモリメディア等）に蓄積する（Ｓ１）。一般に業務用高解像度カメラは各色１２〜１６ｂｉｔの諧調表現が可能である。蓄積されたデータの容量は、ハイビジョン放送用のＨＤクラスのコンテンツであれば、１秒間３０フレーム、１画素あたりの深度を１２ｂｉｔとすると、約２．２Ｇｂｐｓ×撮像時間（ｓｅｃ）となる。
【０００９】
そして、上記高解像度の映像コンテンツに対して、まず、ＲＧＢ各色の深度を１２ｂｉｔから８ｂｉｔに圧縮するために色諧調変換処理を行う（Ｓ２）。色諧調処理手法は、テーブルマッピング処理や単純に下位ビットを削除するような方法がある。この段階で映像コンテンツは、約１．５Ｇｂｐｓ×撮像時間（ｓｅｃ）に圧縮される（Ｓ３）。次に、既存のＭＰＥＧ２エンコードシステム（Ｓ４）において、約２４Ｍｂｐｓ×撮像時間（ｓｅｃ）のＭＰＥＧ２コンテンツに圧縮される（Ｓ５）。
【００１０】
既存のＭＰＥＧ２エンコードシステム内では、いくつかの情報削減処理が行われる。この情報削減処理は非可逆の圧縮技術であり、例えば、サブサンプリング処理や、量子化処理などが挙げられる。サブサンプリング処理とは、色差情報を間引くことで情報量を減らす処理であり、量子化処理は、各画素の画素値を丸めて情報量を減らす処理である。これらの情報削減処理により通信手段の制約を克服することに成功している。しかしながら、これらの圧縮技術は非可逆方式であるために、コンテンツ再生装置側でのデコード処理において、元の高解像度のコンテンツを復元することはできず、映像コンテンツの画質が元のものより劣ることは避けられない。以下、各処理の圧縮方法をそれぞれ説明する。
【００１１】
（情報削減処理１）
サブサンプリング処理について、図１７を用いて説明する。ここでは、説明を簡単化するために、ビデオ信号の1フレーム分のサイズを８×８画素とする。まず、ビデオ信号の色成分情報を、ＲＧＢ色空間からＹＣｒＣｂ色空間へと変換する。この場合の処理においては一般に、図１８に示す式を利用する。なお、ＲＧＢ色空間（計２４ｂｉｔ）からＹＣｒＣｂ色空間（計２４ｂｉｔ）への変換のための色の削減は、基本的に起こらない。
【００１２】
次に、例えば、４：１：１のサンプリングを行った場合には、Ｙプレーンの4画素に対してＣｒプレーンとＣｂプレーンは各1画素を対応させる。すなわち、輝度情報を示す、Ｙプレーンの画素ではなく、色差情報を示す、Ｃｒ、Ｃｂプレーンの画素を４分の１に間引くことになる。Ｃｒ、Ｃｂの１画素は、Ｙプレーンの同画素位置における4画素の平均の値を使うことが多い。この処理は、輝度情報に敏感で色差情報に鈍感と言われている人間の視覚の性質を利用したものである。しかしながら、この処理のために元の映像コンテンツの解像度が低下し、色にじみやボケが発生して、映像の劣化を招いている。
【００１３】
また、この問題点は、４：１：１のサンプリングに限って生じるものではなく、同様のサブサンプリング手法（４：２：０、４：２：２などのサンプリング）であれば、同様に生じるものである。
【００１４】
（情報削減処理２）
次に、量子化処理について、図１９を用いて説明する。Ｙ、Ｃｒ、Ｃｂプレーンからサブサンプリング処理された結果を８×８画素単位でブロック化し、そのブロックに対してＤＣＴ（離散コサイン変換；Discrete Cosine Transform）処理を行う。まず、各画素値を実空間上から周波数空間上へ変換し（変換されるのは、厳密には振幅成分のみであり、位相成分が削減されているため、逆ＤＣＴを行っても元には完全に復元できない）、量子化テーブルにより決まった値に基づいて高周波成分を削減する。この処理のために、ＤＣＴ処理特有のブロック歪やモスキートノイズが発生する。また、量子化によって高周波成分が除去されるため解像度が低下し、ボケが発生し、画質の低下を招く。
【００１５】
上述のとおり、圧縮技術により、多くの情報が削減され、ユーザが視聴するときは、実際撮像した映像を忠実に再現することができなくなっている。
【００１６】
このような画質低下の各要因を克服するために様々な工夫がなされている。例えば、第１の要因に対しては、近年の液晶ディスプレイなどのコンテンツ再生装置において、色再現範囲を拡張する工夫がなされている。
【００１７】
また、特許文献１には、カラー画像表示手段（コンテンツ再生装置）の再現特性やユーザ視聴時の照明環境に応じてカラー画像の色を変換し、上記表示手段に出力する色変換部を備えた色再現端末装置が開示されている。
【００１８】
あるいは、特許文献２には、受信端末（コンテンツ再生装置）の色特性に関して取得した情報に基づいて、該受信端末の色特性にあった画像へと蓄積画像を色変換して、該受信端末に配送する蓄積画像配送方法が開示されている。
【００１９】
また、第２の要因に対しては、特許文献３に、放送波によるデジタルコンテンツに関して、高精細なプリント画像（印刷用のデジタルコンテンツ）を取得する受信システムが開示されている。これにより、放送波による圧縮された低画質のデジタルコンテンツを受信しても、該デジタルコンテンツに関して、プリントに適した高画質な映像データを、インターネットを介して得ることができる。
【特許文献１】特開２００１−６００８２（２００１年３月６日公開）
【特許文献２】特開２００２−２１８２６２（２００２年８月２日公開）
【特許文献３】特開２００４−１０２５９０（２００４年４月２日公開）
【非特許文献１】亀山  渉、花村  剛  監修  「改訂版  デジタル放送教科書（上）」  （株）インプレス  出版  ２００４年１０月１１日（初版第1刷）
【発明の開示】
【発明が解決しようとする課題】
【００２０】
しかしながら、上述の各特許文献の方法では、第２の要因（圧縮技術の適用による映像の劣化）に対して、ユーザが視聴するためのデジタルコンテンツを、高品質なままに提供することができないという問題を生じる。
【００２１】
すなわち、特許文献１および２の方法では、カラー画像（蓄積画像）の表示手段であるディスプレイの色特性に追随して色変換を行ってはいるが、そのディスプレイに表示するコンテンツ自体の画質が改善されず、したがって、映し出される映像データは、圧縮されたままの画質の低いものである。
【００２２】
または、特許文献３の方法では、放送波で送信されるデジタルコンテンツについて、視聴するためのデジタルコンテンツではなく、プリンタに特化した画像コンテンツについて、ネットワークを介して、高精細なコンテンツを提供しているだけにすぎない。したがって、ディスプレイで表示される映像の画質については、改善されないままである。
【００２３】
また、この問題点は、ＭＰＥＧ２の圧縮符号化方式に限って生じるものではなく、その他の非可逆の圧縮技術（ＭＰＥＧ１、ＭＰＥＧ４、Ｈ．２６４／ＡＶＣなど）でも、同様に生じるものである。
【００２４】
本発明は、上記の問題点に鑑みてなされたものであり、その目的は、放送波で送信される圧縮されたコンテンツについて、ユーザが所望するコンテンツを、高品質なままに提供することが可能な、コンテンツ再生装置、コンテンツ提供サーバ、放送コンテンツ供給装置、コンテンツ配信システム、コンテンツ再生方法、コンテンツ提供方法、補正情報生成方法、制御プログラム、および、記録媒体を実現することにある。
【課題を解決するための手段】
【００２５】
本発明に係るコンテンツ再生装置は、上記課題を解決するために、放送波により伝送される放送コンテンツと同じ内容のコンテンツであって、該放送コンテンツより高い品質を有する高品質コンテンツを再生するための高品質データをあらかじめ取得する高品質データ取得手段と、上記高品質データ取得手段が取得した上記高品質データに基づいて、上記放送コンテンツの放送に同期して上記高品質コンテンツを再生するコンテンツ再生手段とを備えていることを特徴としている。
【００２６】
上記構成によれば、高品質データ取得手段は、放送波により伝送される放送コンテンツと同じ内容のコンテンツであって、該放送コンテンツより高い品質を有する高品質コンテンツを再生するのに必要な高品質データをあらかじめ取得しておく。そして、コンテンツ再生手段は、上記放送コンテンツの放送に同期して、すなわち、上記放送コンテンツが実際に放送されるのに合わせて、その放送コンテンツに対応する、上記取得した高品質データを利用して、高品質コンテンツを再生する。
【００２７】
これにより、上記放送コンテンツの代わりに、該放送コンテンツと同じ内容でより品質の高い高品質コンテンツを再生することが可能となる。したがって、ユーザは、非可逆方式で圧縮されたことにより品質が劣化している放送コンテンツについて、所望する同じ内容のコンテンツを、高品質なままで視聴することができる。
【００２８】
さらに、上記高品質コンテンツは、放送コンテンツの放送に合わせて自動で再生されることになるので、ユーザは、高品質コンテンツを視聴するための繁雑な操作を別途覚える必要はなく、通常の放送コンテンツを視聴する場合と同じように高品質コンテンツを視聴することができる。
【００２９】
なお、上記高品質データは、例えば、高品質コンテンツのデータそのものであってもよい。この場合、上記高品質データ取得手段は、高品質コンテンツのデータを取得することになり、上記コンテンツ再生手段は、放送コンテンツに変わって、上記取得された高品質コンテンツを再生する。
【００３０】
さらに、上記高品質コンテンツとは、非可逆圧縮符号化処理が施され、放送コンテンツとなる前の原始コンテンツであってもよい。この場合、非可逆圧縮符号化処理前の、いずれの情報も削減されていない原始コンテンツを完全に復元した高品質コンテンツを再生することが可能となる。
【００３１】
あるいは、上記高品質データは、放送コンテンツを高品質コンテンツへと補正するための補正情報であり、上記コンテンツ再生装置は、上記の構成に加えて上記補正情報に基づき、放送コンテンツを高品質コンテンツへと補正するコンテンツ補正手段を備え、上記コンテンツ再生手段は、上記コンテンツ補正手段が補正した高品質コンテンツを再生してもよい。
【００３２】
上記補正情報は、高品質コンテンツへと補正すべく、放送コンテンツ自体に適用する補正情報である。したがって、放送コンテンツより高い品質を有する高品質コンテンツそのもののデータより、データサイズが小さくなる。
【００３３】
以上のことから、高品質コンテンツを再生するための高品質データを取得する際の、通信回線の負荷・通信コストの負担などを削減できる。また、コンテンツ再生装置の処理効率の低下を回避し、記憶領域の節約も実現することが可能となる。
【００３４】
なお、上記放送コンテンツは、上記高品質コンテンツに非可逆圧縮符号化処理を適用したものであり、上記補正情報は、上記高品質コンテンツと上記放送コンテンツとの差分値を含んでいてもよい。
【００３５】
上記補正情報に、非可逆圧縮符号化処理を適用する前の原始コンテンツとしての高品質コンテンツと、放送コンテンツとの差分値が含まれている。これを用いることにより、上記コンテンツ再生装置のコンテンツ補正手段は、受信された放送コンテンツに上記差分値を適用することで、高品質コンテンツを復元することが可能となる。
【００３６】
さらに、上記補正情報は、高品質コンテンツを放送コンテンツに変換する時のＭＰＥＧ２圧縮処理の前処理であるサブサンプリング処理時の原始コンテンツとの差分値であってもよい。
【００３７】
さらに、上記コンテンツ再生装置の上記コンテンツ再生手段は、放送コンテンツを受信して再生する放送受像部が、放送コンテンツを受信して再生する時に、該放送コンテンツに対応する高品質コンテンツを再生することが好ましい。
【００３８】
これにより、コンテンツ再生装置において、放送コンテンツの受像タイミングで（ユーザが視聴を開始するタイミングで）、高品質コンテンツを再生することが可能となる。このとき、上記高品質コンテンツを、対応の放送コンテンツから切り換えて出力してもよいし、重畳させて出力してもよい。あるいは、映像コンテンツであれば、２画面に分けて放送・高品質コンテンツの両方を表示するのでもよい。
【００３９】
さらに、上記コンテンツ再生装置は、上記構成に加えて、上記放送コンテンツに関するコンテンツ情報を取得する情報取得手段を備え、上記高品質データ取得手段は、取得した高品質データを、上記情報取得手段が取得した、該高品質データが対応する放送コンテンツに関するコンテンツ情報に関連付けて高品質データ記録部に記録してもよい。
【００４０】
上記構成によれば、高品質データ取得手段は、自身が取得した高品質データを高品質データ記録部に記録する際、その高品質データが対応する放送コンテンツのコンテンツ情報を関連付けて、当該高品質データを記録する。
【００４１】
これにより、高品質データ記録部には、高品質データごとに、対応の放送コンテンツのコンテンツ情報が記録される。コンテンツ情報には、例えば、コンテンツのタイトル、放送開始（終了）日時、チャンネル、ジャンル、出演者などの情報が含まれている。したがって、ユーザは、高品質コンテンツを再生する場合においても、同じ内容である放送コンテンツのコンテンツ情報を取得して、該高品質コンテンツの情報を知ることができる。
【００４２】
また、上記コンテンツ情報は、上記放送コンテンツの放送開始日時情報を含み、上記コンテンツ再生装置のコンテンツ再生手段は、上記放送コンテンツの放送開始日時に、該放送開始日時情報に関連付けられた高品質データに基づいて、高品質コンテンツの再生を開始してもよい。
【００４３】
上記構成によれば、コンテンツ情報に含まれる放送開始日時情報を利用して、高品質データに関連付けられている放送コンテンツの放送開始日時情報が示す日時になれば、コンテンツ再生手段は、当該高品質データを利用して高品質コンテンツを再生する。
【００４４】
これにより、コンテンツ再生装置において、放送コンテンツの放送開始日時に合わせて自動で高品質コンテンツを再生することが可能となる。したがって、ユーザは、高品質コンテンツの視聴を予約していながら、そのことを忘れていた場合でも、元の放送コンテンツの放送開始日時に合わせて高品質コンテンツを確実に視聴することができる。なお、上記高品質コンテンツを、対応の放送コンテンツから切り換えて出力してもよいし、重畳させて出力してもよい。あるいは、映像コンテンツであれば、２画面に分けて放送・高品質コンテンツの両方を表示するのでもよい。
【００４５】
さらに、上記コンテンツ情報は、上記放送コンテンツの放送終了日時情報を含み、上記コンテンツ再生装置は、上記構成に加えて、上記放送コンテンツの放送終了日時を経過すると、該放送終了日時情報に関連付けられた高品質データを、上記高品質データ記録部から削除するコンテンツ管理手段を備えていることが好ましい。
【００４６】
上記構成によれば、コンテンツ情報に含まれる放送終了日時情報を利用して、高品質データに関連付けられている放送コンテンツの放送終了日時情報が示す日時になれば、上記コンテンツ管理手段は、当該高品質データを上記高品質データ記録部から削除する。
【００４７】
これにより、元の放送コンテンツの放送が終了して以降は、コンテンツ再生装置において、当該放送コンテンツに対応する高品質コンテンツを再生することができなくなる。
【００４８】
以上のことから、元の放送コンテンツが放送されている間だけ、対応する高品質コンテンツを再生することが可能になる。このように、高品質コンテンツを再生可能とする時間（開始時間および／または終了時間）を特定することは、放送コンテンツあるいは高品質コンテンツを提供する側（サービスプロバイダや放送局など）にとって、以下のようなメリットがある。
【００４９】
一般の放送コンテンツの視聴者や、他のユーザとの間に生じるサービスの偏り（ある特定の人物だけが、放送時刻が定まっているコンテンツを早期に視聴できるという不公平さなど）を回避することが可能となる。つまり、コンテンツの品質の高さのみを付加価値とする高品質コンテンツを提供する高品質コンテンツ配信システムを構築することが可能となる。
【００５０】
さらに、高品質コンテンツが正当なユーザ以外の人物によって視聴されることや、本放送時間帯以外に不当に（何度も）視聴されるなどの、高品質コンテンツの不正利用を防止することが可能となり、著作権保護の管理が容易になる。
【００５１】
なお、コンテンツ管理手段が、高品質コンテンツを削除するタイミングとしては、当該高品質コンテンツの再生終了時点をトリガとしてもよい。
【００５２】
さらに、上記コンテンツ再生装置は、上記構成に加え、ユーザが視聴または録画を所望する放送コンテンツの指定を受け付ける操作受付手段を備え、上記高品質データ取得手段は、上記操作受付手段が受け付けた、指定の放送コンテンツに対応する高品質データを取得することが好ましい。
【００５３】
これにより、高品質コンテンツに対する視聴（録画）予約のためのユーザの操作は、通常放送される放送コンテンツの予約指示の操作と共通にできる。したがって、高品質コンテンツを視聴するために別途繁雑な操作行う必要がなくなり、ユーザの手間を軽減することが可能となる。
【００５４】
さらに、上記コンテンツ再生装置は、上記構成に加え、上記操作受付手段が、ユーザより、視聴を所望する放送コンテンツの指定を受け付けた受付時刻を取得する時刻取得手段と、上記高品質データ取得手段が上記指定の放送コンテンツに対応する高品質データを取得するための所要時間を算出する取得時間算出手段と、上記受付時刻に上記所要時間を加えた取得完了時刻が、上記放送コンテンツの放送開始日時より遅れる場合に、上記高品質データを取得しないよう上記高品質データ取得手段を制御する取得制御手段とを備えていてもよい。
【００５５】
上記構成によれば、取得制御手段は、時刻取得手段が取得した受付時刻に、取得時間算出手段が算出した上記所要時間を加算する。上記操作受付手段が受け付けた指示が、例えば、視聴予約であった場合、その取得完了時刻が、当該視聴予約指示により指定された放送コンテンツの放送開始日時よりも後であるときは、高品質コンテンツを本放送に間に合わせることができないため、取得制御手段は、高品質データ取得手段に高品質データ取得の指示を送らないようにする。
【００５６】
これにより、視聴し得ない高品質コンテンツの不要なデータを送受信することを回避することができる。
【００５７】
なお、ユーザ所望の高品質データを取得しない旨をユーザに通知することが好ましい。これにより、ユーザは、高品質コンテンツが放送日時に間に合わないことを認識することができる。
【００５８】
あるいは、操作受付手段が受け付けた指示が録画予約であった場合、高品質データ取得手段に録画用高品質データの取得の指示を送るとともに、上記取得完了時刻をユーザに提示してもよい。あるいは、取得完了時刻と現在時刻との差分から、あとどのくらいで取得し終えるかを通知してもよい。これにより、ユーザは、録画された高品質コンテンツをいつ以降再生できるのかを知ることができる。
【００５９】
本発明に係るコンテンツ提供サーバは、上記課題を解決するために、放送波により伝送される放送コンテンツと同じ内容のコンテンツであって、該放送コンテンツより高い品質を有する高品質コンテンツを再生するための高品質データを要求する要求メッセージを、上述のコンテンツ再生装置より受信する予約受付手段と、上記要求メッセージが指定する高品質データを、上記コンテンツ再生装置に配信する高品質データ配信手段とを備えていることを特徴としている。
【００６０】
上記構成によれば、予約受付手段は、上記コンテンツ再生装置より、高品質データの要求を受け付けて、予約情報を管理する。高品質データ配信手段は、上記要求メッセージが指定する高品質データを、上記コンテンツ再生装置に配信する。
【００６１】
これにより、コンテンツ再生装置を介してユーザより要求された高品質データを、コンテンツ再生装置に提供することが可能となる。したがって、ユーザは、所望の高品質コンテンツをコンテンツ再生装置にて視聴することが可能となる。
【００６２】
本発明に係るコンテンツ提供サーバは、上記課題を解決するために、放送波により伝送される放送コンテンツと同じ内容のコンテンツであって、該放送コンテンツより高い品質を有する高品質コンテンツを再生するための高品質データを、放送コンテンツごとに記録する高品質データ記録部と、クライアント端末装置より受信した、上記高品質データを要求する要求メッセージに、上記高品質データが対応する放送コンテンツの放送開始日時情報を関連付けた予約情報を管理する予約受付手段と、上記予約情報に基づき、上記高品質データ記録部に記録された高品質データの、上記クライアント端末装置への配信が上記放送開始日時より前に完了するよう、配信を開始する高品質データ配信手段とを備えていることを特徴としている。
【００６３】
上記構成によれば、予約受付手段は、ユーザのクライアント端末装置より、高品質データの要求を受け付けて、予約情報を管理する。このとき、予約受付手段は、予約情報に、要求された高品質データが対応する放送コンテンツの放送開始日時情報を関連付けて管理する。
【００６４】
高品質データ配信手段は、上記予約情報に基づいて、要求のあった高品質データを適切なタイミングでクライアント端末装置に配信する。すなわち、上記高品質データ記録部に記録された高品質データを、上記放送開始日時より前に配信完了するよう、上記クライアント端末装置への配信を開始する。
【００６５】
これにより、クライアント端末装置が高品質データを対応の放送コンテンツの放送前に取得できないために、クライアント端末装置が、放送時間に間に合わせて高品質コンテンツを再生できないという不都合を解消することが可能となる。
【００６６】
本発明に係る放送コンテンツ供給装置は、上記課題を解決するために、放送波により伝送される放送コンテンツと同じ内容のコンテンツであって、該放送コンテンツより高い品質を有する高品質コンテンツに非可逆圧縮符号化処理を適用することにより、上記放送コンテンツを作成する放送コンテンツ作成手段と、上記高品質コンテンツと上記放送コンテンツとの差分値を、放送コンテンツを高品質コンテンツへと補正するための補正情報として作成する補正情報作成手段とを備えていることを特徴としている。
【００６７】
上記構成によれば、放送コンテンツ作成手段は、放送のための非可逆圧縮符号化処理前のコンテンツ（高品質コンテンツ）に非可逆圧縮符号化処理を適用することにより、放送波での伝送に適した放送コンテンツを作成する。このとき、補正情報作成手段は、上記放送コンテンツ作成手段が非可逆圧縮符号化処理を実行する際に、該符号化処理前の高品質コンテンツと、該符号化処理後の放送コンテンツとの差分値を算出し補正情報として作成する。
【００６８】
上記非可逆圧縮符号化処理前のデータは、いずれの情報も削減されていない高品質な映像（音声）データを有する高品質コンテンツであり、上記非可逆圧縮符号化処理後のデータは、放送波による伝送に適した（しかし、そのために情報が削減された）放送コンテンツである。したがって、上記差分値を含む補正情報を、上記高品質データとして上述のコンテンツ再生装置に供給すれば、受信した放送コンテンツに上記補正情報を適用することにより、非可逆圧縮符号化処理を適用された放送コンテンツからでも、高品質コンテンツを完全に復元して再生することができる。
【００６９】
高品質コンテンツは、非可逆圧縮符号化処理された放送コンテンツを復号処理した場合以上に、高い品質を有している。したがって、ユーザは、放送コンテンツを高品質なままに視聴することが可能となる。
【００７０】
本発明のコンテンツ配信システムは、上記課題を解決するために、放送波により伝送される放送コンテンツと同じ内容のコンテンツであって、該放送コンテンツより高い品質を有する高品質コンテンツを再生するための高品質データを提供する上述のコンテンツ提供サーバと、高品質データを要求する要求メッセージを上記コンテンツ提供サーバに送信することにより該コンテンツ提供サーバから提供を受けた高品質データに基づいて、上記放送コンテンツの放送に同期して高品質コンテンツを再生する上述のコンテンツ再生装置と含むことを特徴としている。
【００７１】
上記構成によれば、ユーザより要求された高品質データをコンテンツ再生装置がコンテンツ提供サーバに要求し、コンテンツ提供サーバは、コンテンツ再生装置に要求された高品質データを提供する。
【００７２】
したがって、放送波で送信される圧縮されたデジタルコンテンツについて、ユーザが視聴するためのデジタルコンテンツを、高品質なままに提供する高品質コンテンツ配信システム１を構築することが可能となる。
【００７３】
本発明のコンテンツ配信システムは、上記課題を解決するために、放送波により伝送される放送コンテンツと同じ内容のコンテンツであって、該放送コンテンツより高い品質を有する高品質コンテンツを再生するための高品質データを、上記放送コンテンツの供給元に属する放送コンテンツ供給装置より取得して、提供する上述のコンテンツ提供サーバと、高品質データを要求する要求メッセージを上記コンテンツ提供サーバに送信することにより該コンテンツ提供サーバから提供を受けた高品質データに基づいて、上記放送コンテンツの放送に同期して上記高品質コンテンツを再生する上述のコンテンツ再生装置と含み、上記コンテンツ提供サーバは、高品質データを利用した旨を通知する利用通知メッセージを上記コンテンツ再生装置より受信し、該利用通知メッセージに、（１）上記コンテンツ再生装置のユーザに請求する、上記高品質データの利用料金を示す第１情報、（２）上記供給元に支払う、上記高品質データの使用料を示す第２情報、および、（３）上記供給元より回収する、上記高品質データの販売に係る代行手数料を示す第３情報を関連付けた課金情報を管理する課金処理手段を備えていることを特徴としている。
【００７４】
上記構成によれば、上述のコンテンツ再生装置にて、高品質データが利用されると、コンテンツ提供サーバの課金処理手段は、コンテンツ再生装置から利用通知メッセージを受け付けて、課金情報を管理する。課金処理手段は、上記課金情報ごとに、
（１）上記コンテンツ再生装置のユーザに請求する、上記高品質データの利用料金
（２）上記供給元に支払う、上記高品質データの使用料
（３）上記供給元より回収する、上記高品質データの販売に係る代行手数料
の情報を管理する。
【００７５】
これにより、放送コンテンツ供給装置、コンテンツ提供サーバ、および、コンテンツ再生装置間でやりとりされる、利用された高品質データの代価の請求金額・徴収金額を適切に把握することが可能となる。
【００７６】
つまり、コンテンツ再生装置のユーザは、コンテンツ提供サーバに視聴料を支払うことによって、コンテンツ提供サーバから所望の高品質データを取得して、コンテンツ再生装置にて高品質コンテンツを視聴することができる。さらに、コンテンツ提供サーバを有するサービスプロバイダは、放送局などの供給元より提供された高品質データを用い、供給元より代行手数料を得て、業としての高品質コンテンツ視聴サービスをユーザに提供することが可能となる。一方、供給元にとっては、通常圧縮技術によってユーザに提供されないまま削減されていた圧縮前のデータ（高品質コンテンツ）を、そのまま、あるいは、補正前後の差分データを生成して提供することが可能となる。これにより、製作により生み出された情報資源を有効活用し、その対価を、コンテンツ提供サーバを有するサービスプロバイダから使用料として得ることができる。
【００７７】
以上のことから、放送波で送信される圧縮されたデジタルコンテンツについて、ユーザが視聴するためのデジタルコンテンツを、高品質なままに提供するコンテンツ配信システムを構築することが可能となる。
【００７８】
本発明に係るコンテンツ再生方法は、放送波により伝送される放送コンテンツと同じ内容のコンテンツであって、該放送コンテンツより高い品質を有する高品質コンテンツを再生するための高品質データをあらかじめ取得する第１ステップと、上記第１ステップにて取得した上記高品質データに基づいて、上記放送コンテンツの放送に同期して上記高品質コンテンツを再生する第２ステップとを含むことを特徴としている。
【００７９】
これにより、上記放送コンテンツの代わりに、該放送コンテンツと同じ内容でより品質の高い高品質コンテンツを再生することが可能となる。したがって、ユーザは、非可逆方式で圧縮されたことにより品質が劣化している放送コンテンツについて、所望する同じ内容のコンテンツを、高品質なままで視聴することができる。
【００８０】
本発明に係るコンテンツ提供方法は、上記課題を解決するために、放送波により伝送される放送コンテンツと同じ内容のコンテンツであって、該放送コンテンツより高い品質を有する高品質コンテンツを再生するための高品質データを要求する要求メッセージを、上述のコンテンツ再生装置より受信する第１ステップと、上記第１ステップにて受信した要求メッセージが指定する高品質データを、上記コンテンツ再生装置に配信する第２ステップとを含むことを特徴としている。
【００８１】
これにより、コンテンツ再生装置を介してユーザより要求された高品質データを、コンテンツ再生装置に提供することが可能となる。したがって、ユーザは、所望の高品質コンテンツをコンテンツ再生装置にて視聴することが可能となる。
【００８２】
本発明に係る補正情報生成方法は、上記課題を解決するために、放送波により伝送される放送コンテンツと同じ内容のコンテンツであって、該放送コンテンツより高い品質を有する高品質コンテンツとしての原始コンテンツに非可逆圧縮符号化処理を適用することにより、上記放送コンテンツを作成する放送コンテンツ供給装置における補正情報生成方法であって、上記原始コンテンツと上記放送コンテンツとの差分値を、放送コンテンツを高品質コンテンツへと補正するための補正情報として作成するステップを含むことを特徴としている。
【００８３】
上記ステップにて生成された補正情報を用いれば、上述のコンテンツ再生装置において、非可逆圧縮符号化処理を適用された放送コンテンツからでも、高品質コンテンツとしての原始コンテンツを復元して再生することができる。
【００８４】
このように復元された高品質コンテンツは、非可逆圧縮符号化処理された放送コンテンツを復号処理した場合以上に、高い品質を有している。したがって、ユーザは、放送コンテンツを高品質なままに視聴することが可能となる。
【００８５】
なお、上記コンテンツ再生装置、コンテンツ提供サーバ、および、放送コンテンツ供給装置は、コンピュータによって実現してもよい。この場合には、コンピュータを、上述のコンテンツ提供サーバ、または、放送コンテンツ供給装置の上記各手段として動作させることにより、上述のコンテンツ提供サーバ、または、放送コンテンツ供給装置をコンピュータにて実現させる、上述のコンテンツ提供サーバ、または、放送コンテンツ供給装置の制御プログラム、およびそれを記録したコンピュータ読み取り可能な記録媒体も、本発明の範疇に入る。
【発明の効果】
【００８６】
本発明に係るコンテンツ再生装置は、以上のように、放送波により伝送される放送コンテンツと同じ内容のコンテンツであって、該放送コンテンツより高い品質を有する高品質コンテンツを再生するための高品質データをあらかじめ取得する高品質データ取得手段と、上記高品質データ取得手段が取得した上記高品質データに基づいて、上記放送コンテンツの放送に同期して上記高品質コンテンツを再生するコンテンツ再生手段とを備えている。したがって、放送波で送信される圧縮されたコンテンツについて、ユーザが所望するコンテンツを、高品質なままに再生することが可能となる。
【発明を実施するための最良の形態】
【００８７】
本発明の一実施形態について図面に基づいて説明すると以下の通りである。本実施形態では、一例として、放送局から放送波により伝送される放送コンテンツを受像するデジタルテレビとしてのコンテンツ再生装置について説明する。
【００８８】
〔実施形態１〕
（デジタルテレビの構成）
図２は、本実施形態に係るデジタルテレビ１００としてのコンテンツ再生装置の概略構成を示すブロック図である。
【００８９】
図２に示すように、本実施形態に係るデジタルテレビ１００は、チューナ部１０１、ＴＳ（トランスポートストリーム）デコーダ１１１、ＡＶ（オーディオビジュアル）デコーダ１１２、グラフィックス生成部１０３、画像重畳部１０４、外部インターフェース１０５、コンテンツ出力部１０６、操作部１０７、制御部１１０、および、記録部４０を備えた構成となっている。
【００９０】
制御部１１０は、統括制御するものであり、さらに、入出力制御部１０およびコンテンツ再生制御部２０を含んでいる。記録部４０は、制御部１１０が実行するプログラムや、制御部１１０がコンテンツ再生の制御を行う際に読み出す種々のデータを記録するものである。制御部１１０および記録部４０の詳細は後述する。
【００９１】
コンテンツ出力部１０６は、デジタルテレビ１００が取得したコンテンツをユーザに提示するものである。コンテンツ出力部１０６は、コンテンツに含まれる音声データを出力するスピーカ１１３、および、コンテンツに含まれる映像（動画・画像）データを出力する表示部１１４を有している。なお、表示部１１４は、例えば、ＬＣＤ（液晶ディスプレイ）、ＰＤＰ（プラズマディスプレイパネル）、またはＣＲＴ（cathode-ray tube）ディスプレイなどの表示装置で実現される。
【００９２】
操作部１０７は、ユーザがデジタルテレビ１００を動作させるための信号を入力する信号入力手段である。本実施形態では、例えば、デジタルテレビ１００外部でリモート操作するためのリモートコントローラ（リモコン）等を用いる第１操作部１０７ａと、デジタルテレビ１００自体に設けられた第２操作部１０７ｂとで構成されている。デジタルテレビ１００は、受信側（受光部側）において、リモコンとしての第１操作部１０７ａ側の各キー操作による指示信号（例えば赤外線による信号）を受光する受光手段（図示せず）を有しており、受光手段によって受光された指示信号は、制御部１１０に送られる。
【００９３】
外部インターフェース１０５は、外部の装置と通信あるいは、外部の装置に対して読み出し／書き込みを行って、デジタルテレビ１００と外部の装置との間のデータのやりとりを行うものである。
【００９４】
例えば、外部インターフェース１０５は、高品質データをクライアント端末（デジタルテレビ１００）に配信するコンテンツ提供サーバ２００や、ＥＰＧ（電子番組表）データなどのサービス情報を提供する外部のサーバ装置などから各種情報を取得するための通信を行う通信インターフェースとして実現される。この場合、外部の各装置との通信は、例えば、赤外線やBluetooth（登録商標）などにより実現される無線ＬＡＮ（Local Area Network）、あるいは、ＬＡＮ（Local Area Network）、ＷＡＮ（Wide Area Network）およびインターネットを介して実現される。
【００９５】
また、外部インターフェース１０５は、上記高品質データやＥＰＧデータを記録した外部記憶装置、または、記録媒体などから読み出した情報を、デジタルテレビ１００内部に供給する入出力インターフェースとして実現される。なお、ＥＰＧデータは、放送局３００が伝送する放送波から取得されてもよい。
【００９６】
なお、上記高品質データとは、放送局３００が、放送波により伝送する放送コンテンツと同じ内容のコンテンツであって、該放送コンテンツより高い品質を有する高品質コンテンツを再生するためのデータのことである。デジタルテレビ１００は、上記高品質データを取得することによって、高品質コンテンツを再生することが可能となる。
【００９７】
次に、本実施形態に係るデジタルテレビ１００において、放送局３００から伝送される、ＭＰＥＧ２符号化圧縮方式により符号化された放送コンテンツやＥＰＧデータなどを含むデジタル放送信号が受信されてから出力されるまでの流れとともに、デジタルテレビ１００の残りの各構成要素について説明する。しかし、本発明に係るデジタルテレビ１００は、以下の各構成要素に限定されない。
【００９８】
チューナ部１０１は、デジタル放送用のチューナである。アンテナ（図示せず）を通じてデジタル放送信号が供給されると、チューナ部１０１は、受信信号の選局を行った後、その信号形態に従った復調および誤り訂正を行い、多重化デジタルデータを形成し、この多重化デジタルデータをＴＳデコーダ１１１に出力する。
【００９９】
ＴＳデコーダ１１１は、チューナ部１０１より出力された多重化デジタルデータをデコードしてＴＳ（Transport Stream）を抽出し、目的別のＴＳパケットに分離して後段のＡＶデコーダ１１２および制御部１１０に出力する。ここで、ＴＳとは固定長のＴＳパケットが連続した信号列のことであり、各ＴＳパケットは、映像・音声信号以外にＥＰＧデータやコンテンツを識別するための情報（例えば、ＰＳＩ（Program Specific Information）、ＳＩ（Service Information））などのデータ信号を含むことがある。ここでは、抽出したＴＳを、ＡＶデコーダ１１２への出力用の、映像・音声信号を含むＴＳパケット（放送コンテンツ）と、制御部１１０への出力用の、コンテンツ関連のデータ信号を含むＴＳパケット（コンテンツ情報）とに分離する。
【０１００】
ＡＶデコーダ１１２は、ＴＳデコーダ１１１からのＴＳパケット（放送コンテンツ）をデコードし、音声データと映像データとに分離する。そして、分離した音声データをスピーカ１１３へ、映像データを画像重畳部１０４へ、それぞれ供給する。
【０１０１】
なお、ＴＳデコーダ１１１およびＡＶデコーダ１１２は、補正部１０２の一部を構成している。補正部１０２は、ＭＰＥＧ２符号化圧縮方式により符号化された放送コンテンツに対して、より高い品質を有する高品質コンテンツとなるよう補正を行うものである。補正部１０２の詳細については後述する。
【０１０２】
グラフィックス生成部１０３は、画像重畳部１０４へ出力するための、ＯＳＤ（On Screen Display）情報を形成するものである。このＯＳＤ情報は、記録部４０に記憶された各種情報、例えば、ＥＰＧ（電子番組表）や、ユーザがデジタルテレビ１００を操作するためのメニュー画面（ＧＵＩ）などである。ユーザが、視聴予約や録画予約、高品質データの要求を指示するための操作画面や、高品質データ要求状況の結果表示などもＯＳＤ情報に含まれる。
【０１０３】
画像重畳部１０４は、ＡＶデコーダ１１２にてデコードされた映像データと、操作画面やＥＰＧなどの上記ＯＳＤ画像とを重ね合わせて表示部１１４に出力するものである。これにより、上述の放送コンテンツの映像データと、ＯＳＤ情報とを１つの表示画面に重ねて表示させることが可能となる。
【０１０４】
本実施形態では、上述したとおり、チューナ部１０１、ＴＳデコーダ１１１、および、ＡＶデコーダ１１２などから構成される放送受像部によって、放送局３００から伝送される放送コンテンツを受像することが可能となっている。
【０１０５】
すなわち、デジタルテレビ１００は、操作部１０７を介して、ユーザより選局（番組の視聴）指示を受け付けると、指定されたチャンネルの指定されたコンテンツの映像データおよび音声データを、コンテンツ出力部１０６に出力して、ユーザに、当該チャンネルのコンテンツを視聴させることができる。
【０１０６】
さらに、デジタルテレビ１００は、本発明のコンテンツ再生装置を実現するために、すなわち、上記放送コンテンツに対応する高品質コンテンツを再生するために、制御部１１０の内部にコンテンツ再生制御部２０を有している。
【０１０７】
以下、コンテンツ再生制御部２０および記録部４０の詳細について説明する。
【０１０８】
（デジタルテレビの詳細）
図１は、本実施形態に係るデジタルテレビ１００としてのコンテンツ再生装置の要部構成を示すブロック図である。なお、図１の各構成要素に付された符号は、図２の各構成要素に付された符号に対応しており、同じ符号は、同じ構成要素を示している。したがって、上ですでに説明した構成要素についての説明は繰り返さない。
【０１０９】
デジタルテレビ１００は、図１に示すとおり、制御部１１０の内部に、入出力制御部１０およびコンテンツ再生制御部２０を含んでいる。
【０１１０】
制御部１１０の入出力制御部１０は、デジタルテレビ１００内の各部（上述のチューナ部１０１、外部インターフェース１０５、操作部１０７、グラフィックス生成部１０３、画像重畳部１０４、表示部１１４、記録部４０など）との情報の入出力を制御するものであり、通信制御部１１、操作受付部１２、および、表示制御部１３を備えている。
【０１１１】
コンテンツ再生制御部２０は、放送コンテンツ、または、放送コンテンツに対応する高品質コンテンツを再生する処理を行うものであり、選局部２１、ＥＰＧ処理部２２、高品質コンテンツ取得部２３、コンテンツ再生部２４を備えている。
【０１１２】
コンテンツ再生制御部２０が読み出しおよび書き込みを行う記録部４０は、高品質コンテンツ記録部４１、ＥＰＧ記録部４２、および、表示用バッファ４３を有している。
【０１１３】
入出力制御部１０の通信制御部１１は、外部の装置との通信を制御するものである。より具体的には、例えば、放送コンテンツを取得する場合には、チューナ部１０１を制御して、選局部２１に指示された放送コンテンツやＥＰＧデータを取得する。また、インターネットを介して外部の装置と双方向通信を行う場合（高品質コンテンツの要求信号の送信や、高品質コンテンツの取得など）には、外部インターフェース１０５を制御する。
【０１１４】
操作受付部１２は、操作部１０７を介してデジタルテレビ１００に入力されるユーザからの指示信号を受け付け、該指示信号をコンテンツ再生制御部２０の各部に供給するものである。ユーザからの指示の内容としては例えば、放送コンテンツを選局するための指示や、視聴予約・録画予約の指示などが挙げられる。
【０１１５】
表示制御部１３は、表示部１１４に情報を表示するための種々の信号（映像信号、ＯＳＤ画像信号など）を制御するものである。例えば、放送コンテンツを映す場合、ＡＶデコーダ１１２によって、映像データとして抽出された、ＭＰＥＧ２符号化圧縮方式により符号化されたコンテンツは、復号され、表示制御部１３の制御で表示部１１４に供給される。この時、表示制御部１３は、上記復号された映像信号から、１画面分を構成する信号を抽出して表示用バッファ４３に蓄える。そして、表示用バッファ４３に１画面分を構成する信号が準備された段階で表示部１１４を制御し、映像を映し出す。このとき、重畳させるべきＯＳＤ画像が存在する場合は、画像重畳部１０４を制御して、１画面分のＯＳＤ画像信号を表示用バッファ４３に格納し、併せて表示部１１４に出力する。
【０１１６】
コンテンツ再生制御部２０の選局部２１は、通信制御部１１を介してチューナ部１０１を制御し、放送波により放送局から伝送される種々の情報（放送コンテンツ、ＥＰＧデータなど）を取得するものである。より具体的には、選局部２１は、ユーザにより選択されたチャンネルをチューナ部１０１に指示する。チューナ部１０１では、選局部２１により選局されたチャンネルに対応する放送コンテンツが抽出される。
【０１１７】
ＥＰＧ処理部２２は、選局部２１が取得したＥＰＧデータを分析・加工して、放送コンテンツに関する情報（以下、コンテンツ情報と称する）をデータベース化してＥＰＧ記録部４２に格納するものである。ＥＰＧ記録部４２に記録された放送コンテンツごとのコンテンツ情報は、視聴・録画予約の受け付け、高品質コンテンツの管理・再生、電子番組表の作成などに利用される。
【０１１８】
高品質コンテンツ取得部２３は、高品質コンテンツを再生するために必要な高品質データを取得するものである。コンテンツ再生部２４は、高品質コンテンツ取得部２３が取得した高品質データを用いて、対応する放送コンテンツの放送に同期して高品質コンテンツを再生するものである。
【０１１９】
なお、本実施形態では、高品質データは、高品質コンテンツのデータである。高品質コンテンツ取得部２３は、高品質コンテンツを、インターネットを介して、コンテンツ提供サーバ２００（図２）などの外部の装置から取得する。より具体的には、ユーザにより指定された高品質コンテンツを配信するようコンテンツ提供サーバ２００に要求信号（要求メッセージ）を送信して、コンテンツ提供サーバ２００から、要求した高品質コンテンツを受信して、高品質コンテンツ記録部４１に格納する。
【０１２０】
ＥＰＧ記録部４２のコンテンツ情報は、放送コンテンツごとに記録されている。したがって、高品質コンテンツ取得部２３は、取得した高品質コンテンツを、該高品質コンテンツに対応する放送コンテンツのコンテンツ情報と関連付けて保存する。
【０１２１】
これにより、例えば、コンテンツ情報に放送コンテンツの放送日時情報が含まれている場合、当該高品質コンテンツの元の放送コンテンツが、いつ放送されるのかをコンテンツ再生部２４が識別することが可能となる。したがって、コンテンツ再生部２４は、当該高品質コンテンツをいつ再生すれば、放送コンテンツと同期させることができるのかを識別することが可能となる。
【０１２２】
ＥＰＧ記録部４２は、ＥＰＧ処理部２２がＥＰＧデータから抽出した放送コンテンツごとのコンテンツ情報をデータベース化して記録するものである。本実施形態における、コンテンツ情報のフォーマットを図１２（ａ）に示す。ＥＰＧ処理部２２は、ＥＰＧデータから、放送コンテンツごとに、図１２（ａ）に示す各情報を抽出し、コンテンツ情報としてＥＰＧ記録部４２に記録する。
【０１２３】
図１２（ａ）に示す「コンテンツＩＤ」には、放送コンテンツを一意に特定するための識別情報を記録する。「編成チャネル」には、所望の放送コンテンツを取得するために必要な編成チャネルを特定する情報を記録する。「タイトル」には、放送コンテンツのタイトルを記録する。「内容」には、放送コンテンツの概要・あらすじなどコンテンツの内容に関する情報を記録する。「放送開始（終了）日時」には、放送コンテンツの放送開始（終了）日時を特定する情報を記録する。
【０１２４】
なお、本実施形態では、放送コンテンツのコンテンツ情報の項目は、上述の６項目としたが、上記に限定されない。コンテンツ情報には、ＥＰＧデータから抽出可能な、コンテンツに関するあらゆる情報（ジャンル情報や、有料コンテンツであるか否かの情報など）を含めることが可能である。
【０１２５】
高品質コンテンツ記録部４１は、高品質コンテンツ取得部２３が取得した高品質コンテンツを記録するものである。本実施形態における、高品質コンテンツの管理情報のフォーマットを図１２（ｂ）に示す。高品質コンテンツ取得部２３は、取得した高品質コンテンツを、対応する放送コンテンツの情報（例えば、「コンテンツＩＤ」）に関連付けて、管理情報として高品質コンテンツ記録部４１に記録する。
【０１２６】
図１２（ｂ）に示す「要求化ステータス」には、当該高品質コンテンツをコンテンツ提供サーバ２００に要求する要求信号を送信済みか否かを示す情報を記録する。「コンテンツＩＤ」には、当該高品質コンテンツが対応している放送コンテンツを特定するためのコンテンツＩＤを記録する。「視聴予約日時」には、上記放送コンテンツの放送開始日時情報に基づいて、高品質コンテンツを本放送に同期させて再生する日時の情報を記録する。「高品質コンテンツ」には、上記放送コンテンツの内容を示す、高い品質のデータからなら高品質コンテンツのデータを記録する。「サイズ」には、上記高品質コンテンツの記憶容量を示す情報を記録する。「保存ステータス」には、上記高品質コンテンツの保存の進捗を示す情報を記録する。
【０１２７】
高品質コンテンツは、その品質を確保するために、非常に多くの情報を有し、大容量であるために、取得（コンテンツ提供サーバ２００からのダウンロード）に時間がかかることもある。そこで、当該高品質コンテンツを何％ダウンロードできているかの情報を記録しておけば、デジタルテレビ１００は、ダウンロードが完了するのにどのくらいの時間がかかるのかを予測することが可能となる。
【０１２８】
あるいは、通信による負荷を分散するために、大容量の高品質コンテンツを、いくつかに分割して、配信することなどが考えられる。この場合にも、進捗情報を管理しておけば、あとどのくらいでダウンロードが完了するのかを容易に予測することができる。
【０１２９】
なお、項目「高品質コンテンツ」のように、直接高品質コンテンツの大容量のデータを記録する領域を確保せずに、高品質コンテンツのデータを記録する補助記憶装置または記録媒体を別に設ける構成としてもよい。この場合、当該高品質コンテンツが格納されているアドレスを示す「管理アドレス」の項目を設け、その「管理アドレス」が示す情報を元に、コンテンツ再生部２４が所定の高品質コンテンツを読みだす構成となる。
【０１３０】
なお、高品質コンテンツを記録するための記録媒体としては、デジタルコンテンツを録画できるものであれば、どのような記録媒体であってもよく、例えば、ＤＶＤ（Digital Video Disc）、あるいは、ハードディスクのようなディスク状記録媒体、例えば、フラッシュメモリのような半導体メモリなどが好適に使用される。また、ネットワークなどの通信経路を経由して、他の装置に設けられた記録媒体に記録してもよい。
【０１３１】
上記構成によれば、高品質コンテンツ取得部２３は、放送波により伝送される放送コンテンツと同じ内容のコンテンツであって、該放送コンテンツより高い品質を有する高品質コンテンツをあらかじめ取得して記録する。そして、コンテンツ再生部２４は、上記放送コンテンツの放送に同期して上記取得した高品質コンテンツを再生する。
【０１３２】
これにより、上記放送コンテンツに代わり、該放送コンテンツと同じ内容でより品質の高い高品質コンテンツを再生することが可能となり、非可逆方式で圧縮された放送コンテンツについて、ユーザが所望する同じ内容のコンテンツを、高品質なままに提供することができる。
【０１３３】
さらに、上記高品質コンテンツは、放送コンテンツの放送時間に合わせて再生することになるので、ユーザは、高品質コンテンツを視聴するための繁雑な操作を別途必要とすることなく（通常の視聴予約操作に対して、高品質コンテンツを選択するという操作を行うのみで）、通常の放送コンテンツの視聴と同じように高品質コンテンツを視聴することができる。
【０１３４】
（高品質コンテンツの再生方法）
放送コンテンツと同期させて高品質コンテンツを再生する方法としては、より具体的には、例えば、以下の方法が挙げられる。
【０１３５】
（１）ＥＰＧ記録部４２に記録されるコンテンツ情報に含まれる、「放送開始時刻」を利用して、その時刻になると高品質コンテンツを再生する。
（２）放送コンテンツの受像タイミングに合わせて、再生されようとする放送コンテンツを対応する高品質コンテンツに切り換えて再生する（あるいは、２画面表示する）。
【０１３６】
以下より詳細に各々の再生方法について説明する。
【０１３７】
（１）コンテンツ再生部２４は、高品質コンテンツ記録部４１に記録されている高品質コンテンツの各々に対して、コンテンツＩＤに基づき、高品質コンテンツが対応している元の放送コンテンツの放送日時情報を管理する。これを、高品質コンテンツの視聴予約日時情報とする（図１２（ｂ））。
【０１３８】
そして、現在時刻が、上記視聴予約日時情報が示す時刻に至ったときに、コンテンツ再生部２４は、その視聴予約日時情報に対応付けられている高品質コンテンツを高品質コンテンツ記録部４１から読み出し、表示制御部１３に供給する。表示制御部１３は、ＴＳデコーダ１１１、ＡＶデコーダ１１２より供給される放送コンテンツに差し替えて、上記高品質コンテンツを表示するよう、表示部１１４を制御する。
【０１３９】
これにより、高品質コンテンツ記録部４１に記録されている高品質コンテンツを、その対応する本放送コンテンツの放送開始時刻に同期して再生することが可能となる。結果として、ユーザは、放送コンテンツを視聴するのと同じようにして、高品質なコンテンツを視聴することが可能となる。
【０１４０】
（２）コンテンツ再生部２４は、デジタルテレビ１００の受像部が、放送局３００より放送コンテンツを取得し再生しようとするタイミングで、当該放送コンテンツのコンテンツＩＤに基づいて、高品質コンテンツ記録部４１から、当該放送コンテンツに対応する高品質コンテンツを抽出して、表示制御部１３に供給する。
【０１４１】
これにより、高品質コンテンツ記録部４１に記録されている高品質コンテンツを、その対応する本放送コンテンツが受像されるタイミングで再生することが可能となる。結果として、ユーザは、視聴したいと望む放送コンテンツの選局を通常どおり行うだけで、その選局された放送コンテンツに対応する高品質コンテンツを視聴することが可能となる。
【０１４２】
なお、高品質コンテンツの表示方法としては、元の放送コンテンツと差し替えて表示してもよいし、高品質コンテンツと放送コンテンツとの両方を、ユーザの好みのレイアウトで表示するようにしてもよい。
【０１４３】
（コンテンツ再生処理の詳細）
図３は、デジタルテレビ１００（図１）の高品質コンテンツ再生処理の処理の流れを示すフローチャートである。図３のフローチャートには、一例として、上述の方法（１）に基づいて高品質コンテンツを再生する場合の処理の流れを示す。なお、本実施形態では、選局部２１（図１）が、ＥＰＧデータからコンテンツ情報をＥＰＧ記録部４２に格納しており、ユーザは、操作部１０７を用いて、上記コンテンツ情報を指定することによって、所望の放送コンテンツの視聴予約を、デジタルテレビ１００に対して行うものとする。
【０１４４】
操作受付部１２は、操作部１０７を介してユーザから視聴予約の指示を受け付けると（Ｓ１０１においてＹＥＳ）、上記視聴予約指示に、高品質コンテンツを取得する旨の指示が含まれているか否かを判定する（Ｓ１０２）。操作受付部１２が、上記視聴予約指示が通常の放送コンテンツに対する視聴予約指示であったと判定した場合（Ｓ１０２においてＮＯ）、制御部１１０は、通常の視聴予約の処理を行い（Ｓ１０３）、処理を終了する。
【０１４５】
一方、操作受付部１２が、高品質コンテンツを取得する指示が含まれていると判定した場合（Ｓ１０２においてＹＥＳ）、上記視聴予約指示は、高品質コンテンツ取得部２３に供給される。
【０１４６】
次に、高品質コンテンツ取得部２３は、上記視聴予約指示に含まれるコンテンツＩＤに基づいて、高品質コンテンツをコンテンツ提供サーバ２００（図２）に要求するための要求信号を作成し、送信する（Ｓ１０４）。この要求信号の一例を、図１２（ｃ）に示す。
【０１４７】
図１２（ｃ）に示すとおり、本実施形態では、要求信号は、あらかじめ設定されているユーザ個別の情報（ユーザ情報５）と、どの放送コンテンツの高品質コンテンツを要求しているのかを示す（コンテンツ情報６）とを含んでいる。しかし、要求信号のフォーマットは、図１２（ｃ）の形式に限定されず、「だれが」、「どのコンテンツを」要求しているのかが明確になれば、どのような情報が含まれていてもよい。
【０１４８】
続いて、高品質コンテンツ取得部２３は、通信制御部１１を介して、上述のような要求信号を受信したコンテンツ提供サーバ２００から、要求した高品質コンテンツを受信し、高品質コンテンツ記録部４１に格納する（Ｓ１０５）。このとき、上記高品質コンテンツは、対応する放送コンテンツのコンテンツ情報（つまり、放送開始日時情報）と関連付けて記録される。これにより、コンテンツ再生部２４は、高品質コンテンツの視聴予約日時情報を管理することが可能となる。
【０１４９】
そして、コンテンツ再生部２４は、現在時刻が上記視聴予約日時に至ったことを検知すると（Ｓ１０６においてＹＥＳ）、当該視聴予約日時情報が関連付けられている高品質コンテンツを再生する（Ｓ１０７）。
【０１５０】
上記方法によれば、ユーザより、高品質コンテンツの視聴の予約を受け付けると、当該高品質コンテンツの要求信号が作成され、コンテンツ提供サーバ２００に送信される。これにより、コンテンツ提供サーバ２００から、高品質コンテンツを取得することが可能となる。続いて、取得された高品質コンテンツは、対応する放送コンテンツの放送開始時刻の情報と関連付けて記録される。そして、対応する放送コンテンツの放送開始時刻になると、高品質コンテンツ記録部４１に保存されている高品質コンテンツが読み出され、表示部１１４には、高品質コンテンツの映像が出力される。
【０１５１】
これにより、上記放送コンテンツに代わり、該放送コンテンツと同じ内容でより品質の高い高品質コンテンツを再生することが可能となり、圧縮された放送コンテンツについて、ユーザが所望する同じ内容のコンテンツを、高品質なままに提供することができる。
【０１５２】
さらに、上記高品質コンテンツは、放送コンテンツの放送時間に合わせて再生することになるので、ユーザは、高品質コンテンツを視聴するための繁雑な操作を別途必要とすることなく（通常の視聴予約操作に対して、高品質コンテンツを選択するという操作を行うのみで）、通常の放送コンテンツの視聴と同じように高品質コンテンツを視聴することができる。
【０１５３】
〔実施形態２〕
上述の実施形態では、高品質データとして、放送コンテンツに対応する高品質コンテンツを取得して、放送コンテンツと差し替えることにより、高品質コンテンツをユーザに提供する構成とした。しかし、本発明のコンテンツ再生装置は、上記実施形態に限定されない。本発明のコンテンツ再生装置は、高品質データとしての補正情報を取得し、受信した放送コンテンツに補正を適用することで、高品質コンテンツを再生することも可能である。
【０１５４】
以下、受信した放送コンテンツに補正を適用することで、高品質コンテンツを再生するコンテンツ再生装置としてのデジタルテレビ１００について説明する。
【０１５５】
なお、本実施形態では、一例として、放送局３００（図２）側で、ＭＰＥＧ２符号化圧縮方式により圧縮された放送コンテンツの映像データに対して補正を適用し、高画質の高品質コンテンツを再生する場合について説明する。しかし、本実施形態は、本発明における補正前の放送コンテンツの圧縮技術をＭＰＥＧ２に限定するものではない。また、補正の対象を映像データに限定するものではない。
【０１５６】
（デジタルテレビの詳細２）
図４は、本実施形態に係るデジタルテレビ１００としてのコンテンツ再生装置の要部構成を示すブロック図である。なお、図４の各構成要素に付された符号は、図１の各構成要素に付された符号に対応しており、同じ符号は、同じ構成要素を示している。したがって、既述の構成要素についての説明は省略する。
【０１５７】
図４に示すデジタルテレビ１００において、図１と異なる点は、コンテンツ再生制御部２０において、高品質コンテンツ取得部２３の代わりに補正情報取得部２５を備えている点、および、補正部１０２（図２）に含まれる各部を制御するためのコンテンツ補正制御部２６を備えている点、ならびに、記録部４０において、高品質コンテンツ記録部４１の代わりに補正情報記録部４４が含まれている点である。
【０１５８】
補正情報取得部２５は、高品質コンテンツを再生するために必要な高品質データとしての補正情報を取得するものである。
【０１５９】
コンテンツ補正制御部２６は、補正部１０２を制御するものである。すなわち、補正情報取得部２５が取得した補正情報（高品質データ）を用いて、受像中の対応する放送コンテンツに対して、高品質コンテンツへと補正を行うものである。コンテンツ再生部２４は、コンテンツ補正制御部２６により補正された高品質コンテンツを再生する。
【０１６０】
補正情報記録部４４は、補正情報取得部２５が取得した高品質データとしての補正情報を記録するものである。本実施形態における、補正情報の管理情報のフォーマットは、図１２（ｂ）に示す、高品質コンテンツの管理情報のフォーマット（実施形態１）とほぼ同様である。実施形態１と異なる点は、「高品質コンテンツ」の代わりに「補正情報」を格納する点である。
【０１６１】
上記構成によれば、コンテンツ補正制御部２６は、ＴＳデコーダ１１１に入力されるＭＰＥＧ２符号化圧縮方式により符号化された放送コンテンツに対して補正情報を適用し、高品質コンテンツを表示部１１４に出力する。上記補正情報は、補正情報取得部２５が取得した、該放送コンテンツに対応する補正情報である。
【０１６２】
これにより、上記放送コンテンツを、該放送コンテンツと同じ内容でより品質の高い高品質コンテンツへと補正することが可能となり、圧縮された放送コンテンツについて、ユーザが所望する同じ内容のコンテンツを、高品質なままに提供することができる。
【０１６３】
さらに、高品質コンテンツそのものを送受信する場合と比較して、補正情報の容量は小さくてすむので、通信コスト・通信回線の負荷の低減、および、記憶領域の節約につながる。
【０１６４】
補正を適用したい放送コンテンツの放送開始時刻になると、コンテンツ補正制御部２６は、補正情報を記録する補正情報記録部４４から、当該放送コンテンツに対応する補正情報を抽出し、補正部１０２に供給する。補正部１０２は、補正情報をコンテンツ補正制御部２６よりフレーム毎に受け取って、フレーム毎に放送コンテンツを高品質コンテンツにするための補正を実行する。以下、補正部１０２の詳細について説明する。
【０１６５】
（補正部の詳細）
図５は、補正部１０２の要部構成を示すブロック図である。本実施形態では、補正部１０２は、ＴＳデコーダ１１１、ＡＶデコーダ１１２を含み、さらに、ビデオデコーダ８１、オーディオデコーダ８２、タイムスタンプ比較部８３、ビデオメモリバッファ８４、および、オーディオメモリバッファ８５を備えている。
【０１６６】
放送コンテンツは、チューナ部１０１からＴＳデコーダ１１１に入力される。ＴＳデコーダ１１１は、ＭＰＥＧ２−ＴＳストリーム形式から、ビデオ（映像）データとオーディオ（音声）データとを分離する。詳細については非特許文献１に記載されているので説明を省略する。分離する際には、送信側（放送局３００（図２））が付与したタイムスタンプ情報も、ＭＰＥＧ２−ＴＳストリームから抽出する。このタイムスタンプ情報は、送信側のタイム情報と受信側のタイム情報を合わせるためのものであり、そのタイム情報に基づいて、ビデオデータやオーディオデータの出力タイミングが決定される。オーディオデータやビデオデータはそれぞれのデコーダ（ビデオデコーダ８１、オーディオデコーダ８２）に入力され、圧縮データから復号される。復号されたビデオデータおよびオーディオデータのそれぞれは、一旦、メモリバッファ（ビデオメモリバッファ８４、オーディオメモリバッファ８５）に保存される。そして、タイムスタンプ比較部８３は、上記タイムスタンプ情報を参照して、タイミングの調整を行い、タイミングを各メモリバッファに伝える。復号されたビデオ（オーディオデータ）は、タイムスタンプ比較部８３が指定するタイミングで出力される。
【０１６７】
ここで、ビデオデータの補正を行うためのビデオデコーダ８１には、２つの信号が入力される。コンテンツ補正制御部２６は、ＴＳデコーダ１１１が分離して抽出した補正情報を、補正情報記録部４４から取得して、ビデオデコーダ８１に供給する。また、タイムスタンプ比較部８３は、高品質コンテンツの補正をフレーム毎に行うためのフレーム毎要求信号を、タイム情報を基に作成し、それをＴＳデコーダ１１１を介してビデオデコーダ８１に供給する。これにより、ビデオデコーダ８１は、適切なタイミングで補正情報と放送コンテンツとを同期させ、補正情報をフレーム毎に受け取って、フレーム毎に放送コンテンツを高品質コンテンツにするための補正を実行することが可能となる。以下、放送コンテンツのビデオデータの補正を行うビデオデコーダ８１の詳細について説明する。
【０１６８】
（ビデオデコーダの詳細）
図６は、本実施形態におけるビデオデコーダ８１の要部構成を示すブロック図である。ビデオデコーダ８１は、内部に、ＭＰＥＧ２デコーダ部９１、ＹＣｒＣｂ変換補正部９２、補正用データバッファ９３、および、タイマ部９４を備えた構成となっている。
【０１６９】
ＭＰＥＧ２デコーダ部９１は、放送局３００側でＭＰＥＧ２符号化圧縮方式により符号化された放送コンテンツのうち、ビデオデータを復号するものである。ビデオデータは、ＡＶデコーダ１１２が分離し、ＭＰＥＧ２デコーダ部９１に供給する。なお、ＭＰＥＧ２デコーダ部９１は、符号化圧縮方式の違いに応じて、対応するデコーダを設けることができる。
【０１７０】
ＹＣｒＣｂ変換補正部９２は、ＭＰＥＧ２デコーダ部９１が復号したビデオデータを、コンテンツ補正制御部２６が供給する補正情報を用いて補正するものである。ＹＣｒＣｂ変換補正部９２により補正が適用された放送コンテンツは、高品質コンテンツとして出力される。
【０１７１】
タイマ部９４は、ＹＣｒＣｂ変換補正部９２における補正処理の同期制御を行うものである。つまり、ＹＣｒＣｂ変換補正部９２が、放送コンテンツのビデオデータ１フレームごとに正しく補正を適用できるように、ビデオデータおよび補正情報の同期をとって、ＹＣｒＣｂ変換補正部９２に適正なタイミングで供給する。
【０１７２】
より具体的には、まず、ＴＳデコーダ１１１から供給される上記タイム情報に基づくフレーム毎要求信号を受け付ける。該フレーム毎要求信号のクロックカウンタを利用して、補正情報を１フレームごとに補正用データバッファ９３に保存する。このときタイマ部９４は、補正用データバッファ９３に保存した時刻の情報を記憶する。次に、ＭＰＥＧ２デコーダ部９１から復号されたビデオデータが出力される時刻の情報も記憶する。そして、記憶したしたそれぞれの時刻が一致すれば、補正用データバッファ９３に対して、ＹＣｒＣｂ変換補正部９２への補正情報の入力を指示する。これにより、ビデオデータの１フレームに対応する正しい補正情報が適正なタイミングでＹＣｒＣｂ変換補正部９２に供給されるので、ＹＣｒＣｂ変換補正部９２は、適正に補正情報を適用して高品質コンテンツを生成することが可能となる。
【０１７３】
（補正情報のフォーマット）
ＹＣｒＣｂ変換補正部９２が用いる補正情報としては、例えば、放送局３００側でＭＰＥＧ２符号化圧縮方式により放送コンテンツを符号化する際に、ＹＣｒＣｂからサブサンプリングする時の差分データを用いることができる。
【０１７４】
図７は、上記差分データとしての補正情報のフォーマットの一例を示す図である。１つの帯が１フレーム分の補正情報を示している。例えば、放送コンテンツＡに含まれる、補正対象となるビデオデータＡがｎ＋１フレームからなっている場合、補正情報Ａは、図７に示すとおり、補正情報７００、補正情報７０１・・・、および、補正情報７０ｎで構成される。
【０１７５】
１フレーム分の補正情報は、以下の６つのデータにより構成されている。第１データ７１は、「コンテンツＩＤ」であり、放送コンテンツを一意に特定するための識別情報を示す。第２データ７２は、「タイムコード」であり、フレームが再生される時間を示す。第３データ７３は、「フレームカウント」であり、先頭フレームから数えて何フレーム目かを表すカウント情報を示す。第４データ７４は、「フレームの補正データＹ」であり、当該フレームの輝度信号Ｙにおける補正前後の差分データを示す。第５データ７５は、「フレームの補正データＣｒ」であり、当該フレームの色差信号Ｃｒにおける補正前後の差分データを示す。第６データ７６は、「フレームの補正データＣｂ」であり、当該フレームの色差信号Ｃｂにおける補正前後の差分データを示す。
【０１７６】
なお、補正情報のデータ構造は、上記に限定されず、補正に必要な差分データ以外の情報を含むデータ構造としてもよい。
【０１７７】
上記構成によれば、タイマ部９４が、ビデオデータの１フレームに対応する正しい補正情報が適正なタイミングでＹＣｒＣｂ変換補正部９２に供給されるよう補正用データバッファ９３を制御する。
【０１７８】
これにより、ＹＣｒＣｂ変換補正部９２は、ビデオデータ１フレームに、適正な補正情報（例えば、Ｙ・Ｃｒ・Ｃｂ各々の補正前後の差分データ）を利用して高品質コンテンツを生成することが可能となる。
【０１７９】
結果として、符号化された放送コンテンツから、符号化圧縮される前のコンテンツを忠実に再現することが可能となるので、放送コンテンツと同じ内容であって、高画質を有する高品質コンテンツを再生することが可能となる。
【０１８０】
〔実施形態３〕
上述の各実施形態では、放送コンテンツに対応する高品質コンテンツを再生するデジタルテレビ１００について説明してきた。本発明のデジタルテレビ１００によれば、例えば、デジタルテレビ１００が高品質コンテンツを再生するための高品質データ（高品質コンテンツ、または、補正情報）を、高品質データ提供事業者（サービスプロバイダ）が提供し、その対価をデジタルテレビ１００のユーザから受け取るという、高品質コンテンツ配信システムを実現することが可能となる。
【０１８１】
（高品質コンテンツ配信システム）
図８（ａ）は、本実施形態に係る高品質コンテンツ配信システムの概略構成を示す図である。本発明に係る高品質コンテンツ配信システム１は、地上波デジタル放送のサービスを提供し、放送コンテンツを、各ユーザ３のデジタルテレビ（クライアント端末装置）１００に伝送する放送局３００の放送コンテンツ供給装置３０１と、放送コンテンツを受信し、該放送コンテンツに同期して高品質コンテンツを再生するユーザ３のデジタルテレビ１００と、デジタルテレビ１００の要求に応じて、ユーザ３の所望のコンテンツの高品質データを提供するサービスプロバイダ２のコンテンツ提供サーバ２００とを含んでいる。
【０１８２】
放送コンテンツ供給装置３０１は、製作した放送コンテンツをＭＰＥＧ２符号化圧縮方式により圧縮し、放送用ストリームデータにして放送波に乗せてデジタルテレビ１００に伝送する（放送コンテンツＣ１）。デジタルテレビ１００は、放送コンテンツに対応するチャンネルを選局し、放送波に乗った放送コンテンツを受信して、映像を表示し、音声を出力する。これにより、ユーザ３は、放送局３００が提供する放送コンテンツを視聴することが可能となる。
【０１８３】
コンテンツ提供サーバ２００は、放送コンテンツの供給元である放送局３００の放送コンテンツ供給装置３０１から、高品質データ（高品質コンテンツ、または、補正情報）の提供を受ける（高品質データＣ２）。これにより、放送コンテンツに対応する高品質データを、デジタルテレビ１００に提供することが可能となる。
【０１８４】
ユーザ３は、コンテンツ提供サーバ２００と通信可能なデジタルテレビ１００を利用して、高品質で視聴した放送コンテンツを、あらかじめ取得した電子番組表（ＥＰＧ）から指定し、指定した放送コンテンツの情報をコンテンツ提供サーバ２００に送信する。例えば、通常の視聴予約と同じように、高品質コンテンツの視聴予約を行うことができる。このとき、コンテンツを特定する情報（ＩＤ）や放送日時情報を、高品質コンテンツの予約情報として、サービスプロバイダ２のコンテンツ提供サーバ２００に送信すればよい（予約情報Ｄ１）。
【０１８５】
コンテンツ提供サーバ２００は、予約情報Ｄ１で指定された放送コンテンツに対応する
高品質データを、ユーザ３のデジタルテレビ１００へ、例えば、インターネットを利用して配信する（高品質データＣ２’）。なお、高品質データの配信方法は、一括ですべての必要な高品質データを送る場合と、通信回線の負担を考慮して、分割して少しずつ送る場合とが考えられる。いずれにしても、当該高品質データが対応する放送コンテンツの放送開始日時に全高品質データの配信が完了するよう制御される。
【０１８６】
デジタルテレビ１００が、本放送の開始に同期して、上記高品質データＣ２’を用いて高品質コンテンツを再生すると（あるいは、再生し終えると）、デジタルテレビ１００は、ユーザ３が高品質コンテンツを視聴したことを示す視聴情報をサービスプロバイダ２のコンテンツ提供サーバ２００に送信する（視聴情報Ｄ２）。
【０１８７】
この視聴情報Ｄ２は、商品（本実施形態では、高品質データ）の受取を証明する受領書の役割を果たしている。コンテンツ提供サーバ２００は、視聴情報Ｄ２を受信すると、視聴情報Ｄ２の内容に基づいて課金処理を行って、請求先（ユーザ３）に対し、視聴された高品質データＣ２’の対価としての視聴料金を請求し、受領する（視聴料金Ｆ１）。
【０１８８】
コンテンツ提供サーバ２００は、視聴情報Ｄ２に応じて（すなわち、高品質データの利用料に応じて）放送局３００に使用料を支払う（使用料Ｆ２）。そして、放送局３００からは、代行手数料を徴収する（代行手数料Ｆ３）。
【０１８９】
なお、ユーザの課金処理に利用する個人情報ついては、既存のＢ−ＣＡＳカードなどのように、あらかじめカードの情報とユーザの個人情報とが１対１に対応するようなカードＩＤを利用してもよいし、デジタルテレビ１００とユーザ３とが１対１に対応するようにデジタルテレビ１００に付与されている製造シリアル番号と、ユーザの個人情報とを関連付けて、サービスプロバイダ２が管理するようにしてもよい。しかし、サービスプロバイダ２がサービスを提供し課金処理が行えるように、あらかじめ高品質コンテンツ利用者としての登録を行い、ユーザの個人情報および提供先となるデジタルテレビ１００の情報をサービスプロバイダ２が把握する必要がある。
【０１９０】
上記の高品質コンテンツ配信システム１によれば、ユーザ３は、コンテンツ提供サーバ２００に視聴料を支払うことによって、コンテンツ提供サーバ２００から所望の高品質データを取得して、デジタルテレビ１００で高品質コンテンツを視聴することができる。
【０１９１】
したがって、放送波で送信される圧縮されたデジタルコンテンツについて、ユーザが視聴するためのデジタルコンテンツを、高品質なままに提供する高品質コンテンツ配信システム１を構築することが可能となる。
【０１９２】
さらに、高品質コンテンツ配信システム１において、サービスプロバイダ２は、放送局３００より提供された高品質データを用い、放送局３００から代行手数料Ｆ３を得て、業としての高品質コンテンツ視聴サービスをユーザに提供することが可能となる。一方、放送局３００にとっては、通常圧縮技術によってユーザに提供されないまま削減されていた圧縮前のデータ（高品質コンテンツ）を、そのまま、あるいは、補正前後の差分データを生成して提供することが可能となる。これにより、製作により生み出された情報資源を有効活用し、コンテンツ提供サーバ２００から使用料として利益を得ることができる。
【０１９３】
なお、デジタルテレビ１００への放送コンテンツＣ１の伝送、および、コンテンツ提供サーバ２００への高品質データＣ２の供給は、放送局３００に帰属する放送コンテンツ供給装置３０１が行っている。以下、放送コンテンツ供給装置３０１について詳しく説明する。
【０１９４】
図８（ｂ）は、放送コンテンツ供給装置３０１の要部構成を示すブロック図である。図８（ｂ）に示すとおり、放送コンテンツ供給装置３０１は、放送コンテンツ供給装置３０１を統括制御する制御部３１０と、制御部３１０が各種処理を実行する際に利用する各種情報を記録する記録部３２０とを備えた構成になっている。制御部３１０は、内部に、高品質データ送信部３１１、放送コンテンツ伝送部３１２、放送コンテンツ作成部３１３、および、補正情報作成部３１４を有している。記録部３２０には、高品質コンテンツ記録部３２１、放送コンテンツ記録部３２２、補正情報記録部３２３が含まれている。
【０１９５】
高品質データ送信部３１１は、コンテンツ提供サーバ２００に高品質データを供給するものである。高品質データが、高品質コンテンツそのものである場合は、高品質コンテンツ記録部３２１に記録される高品質コンテンツを供給する。高品質データが、補正情報である場合は、補正情報記録部３２３に記録される補正情報を供給する。放送コンテンツ伝送部３１２は、放送波にのせて放送コンテンツを伝送するものである。
【０１９６】
放送コンテンツ作成部３１３は、放送用のコンテンツにＭＰＥＧ２などの非可逆圧縮符号化処理を適用することにより、伝送に適した放送コンテンツを作成するものである。
【０１９７】
補正情報作成部３１４は、上記放送コンテンツ作成部３１３が非可逆圧縮符号化処理を実行する際に、該符号化処理前と、該符号化処理後との差分値を算出し補正情報として作成するものである。
【０１９８】
上記非可逆圧縮符号化処理前のデータは、いずれの情報も削減されていない高品質な映像（音声）データを有する高品質コンテンツであり、上記非可逆圧縮符号化処理後のデータは、放送波による伝送に適した（しかし、そのために情報が削減された）放送コンテンツである。したがって、上記差分値を含む補正情報を、上記高品質データとしてデジタルテレビ１００に供給すれば、デジタルテレビ１００は、受信した放送コンテンツに上記補正情報を適用することにより、受信した放送コンテンツを補正後の高品質コンテンツとして再生することができる。
【０１９９】
（デジタルテレビの詳細３）
これより、本実施形態に係るデジタルテレビ１００の詳細について説明する。なお、本実施形態では、デジタルテレビ１００は、高品質データとして高品質コンテンツをコンテンツ提供サーバ２００から取得する構成としたが、これに限定されない。本発明に係る高品質コンテンツ配信システム１は、上述の実施形態２のように、補正情報を取得して高品質コンテンツを再生するデジタルテレビ１００を適用することも可能である。
【０２００】
また、本実施形態では、ユーザ３は、デジタルテレビ１００の表示部１１４（図２）に表示される操作画面を、操作部１０７を介して操作することにより、所望の放送コンテンツの視聴予約および録画予約をデジタルテレビ１００対して指示することができる。このとき、当該放送コンテンツを、そのまま（通常どおり）視聴（録画）するか、高品質コンテンツにて視聴（録画）するかを選択できるようにする。視聴（録画）予約とは、ユーザがＥＰＧを用いて、視聴（録画）を所望する放送コンテンツを指定することである。これにより、デジタルテレビ１００が、当該放送コンテンツの放送開始日時に、指定された放送コンテンツを自動で再生（録画）する。また、高品質コンテンツが選択されている場合は、その放送コンテンツに対応する高品質コンテンツを再生（録画、つまり、取得して記録）する。
【０２０１】
上述の、表示部１１４に表示する操作画面およびそれを用いた視聴（録画）予約方法については、後に詳しく説明する。
【０２０２】
図９は、本実施形態に係るデジタルテレビ１００としてのコンテンツ再生装置の要部構成を示すブロック図である。なお、図９の各構成要素に付された符号は、図１の各構成要素に付された符号に対応しており、同じ符号は、同じ構成要素を示している。したがって、既述の構成要素についての説明は省略する。
【０２０３】
図９に示すデジタルテレビ１００において、図１と異なる点は、コンテンツ再生制御部２０において、さらに、コンテンツ取得制御部２７と、コンテンツ管理部２８とを備えている点である。
【０２０４】
コンテンツ取得制御部２７は、操作受付部１２がユーザからの視聴（録画）予約指示を受け付け、高品質コンテンツが選択されたのに応じて、高品質データを取得するよう高品質コンテンツ取得部２３（または、補正情報取得部２５）を制御するものである。
【０２０５】
上述したとおり、高品質データは対応の放送コンテンツと同期して再生するので、視聴予約された放送コンテンツの放送開始日時に間に合うように取得されなければならない。そこで、コンテンツ取得制御部２７は、放送開始日時よりの前に高品質データの取得が完了するよう高品質コンテンツ取得部２３を制御する。これにより、コンテンツ提供サーバ２００から一括して取得する場合でも、少しずつ分割して取得する場合でも、高品質コンテンツ取得部２３は、全高品質データの取得が放送開始日時までに完了するよう高品質データを取得することができる。
【０２０６】
コンテンツ取得制御部２７は、ユーザより高品質データ取得の指示を受け付けてから、当該高品質データの取得（ダウンロード；ＤＬ）にかかる時間を推測することができる。何らかの事情で（通信回線の不備や、ＤＬ指示時間が放送開始間際だった場合など）、放送開始日時に間に合わせて高品質データをＤＬできないと判明した場合には、高品質コンテンツ取得部２３を制御して、当該高品質データを取得しないようにする。そして、指定された高品質データを取得しなかった（できなかった）旨をユーザに通知してもよい。これにより、サービスを提供し得ない要求に対して、不要にＤＬしないように高品質コンテンツ取得部２３を制御することができる。また、そのことをユーザが認識できる。
【０２０７】
さらに、コンテンツ取得制御部２７は、録画予約を受け付けた場合には、高品質コンテンツ取得部２３を制御し、録画用高品質データを取得するよう制御してもよい。録画用高品質データとは、高付加価値商品としての高品質データに対して、不正利用ができないように所定の処理を施したもののことである。
【０２０８】
より具体的には、例えば、高品質データに暗号化処理を施し、当該高品質データを利用する正当なユーザだけに配布される鍵がなければ、当該暗号化された高品質データを復号できないようにすることが考えられる。あるいは、高品質データの利用（再生や補正）回数をあらかじめ定めたもの、あらかじめ登録されている正当なユーザの正当なハードウェア（デジタルテレビ１００）でのみ再生可能なようにしたもの、不正コピーの防止処理を施したものなども挙げられる。
【０２０９】
コンテンツ管理部２８は、高品質コンテンツ記録部４１に記録されている、高品質コンテンツ取得部２３により取得された高品質コンテンツを管理するものである。例えば、放送コンテンツの放送に同期して再生され、再生が終了した高品質コンテンツ（あるいは、録画用高品質コンテンツで所定回数再生されたもの）が何度も不当に再生されることのないように、当該高品質コンテンツを高品質コンテンツ記録部４１から削除し復元できないようにすることなどが考えられる。
【０２１０】
なお、コンテンツ管理部２８が、高品質コンテンツを削除するタイミングとしては、当該高品質コンテンツの再生終了時点をトリガとしてもよいし、当該高品質コンテンツが対応する放送コンテンツの放送終了日時情報に基づいて、現在時刻が放送終了日時に至ったことをトリガとしてもよい。
【０２１１】
上記構成によれば、元の放送コンテンツが放送されている間だけ、対応する高品質コンテンツを再生することが可能になる。これにより、コンテンツ提供者側（サービスプロバイダ２、放送局３００）にとって、以下のようなメリットがある。
【０２１２】
一般の視聴者や、他のユーザとの間に生じるサービスの偏り（ある特定の人物だけが、放送時刻が定まっているコンテンツを早期に視聴できるという不公平さなど）を回避することが可能となる。つまり、コンテンツの品質の高さのみを付加価値とする高品質コンテンツを提供する高品質コンテンツ配信システムを構築することが可能となる。
【０２１３】
さらに、高品質コンテンツが正当なユーザ以外の人物によって視聴されることや、本放送時間帯以外に不当に（何度も）視聴されるなどの、高品質コンテンツの不正利用を防止することが可能となり、著作権保護の管理が容易になる。
【０２１４】
（コンテンツ取得制御部の詳細）
図１０は、コンテンツ取得制御部２７の詳細を示すブロック図である。コンテンツ取得制御部２７は、内部に、時刻取得部３１、取得時間算出部３２、および、取得指示部３３を備えている。
【０２１５】
時刻取得部３１は、操作受付部１２がユーザより視聴（録画）予約を受け付けた時刻（受付時刻）を取得するものである。取得時間算出部３２は、高品質コンテンツ取得部２３が、高品質データのＤＬにかかる時間（所要時間）を推測して算出するものである。例えば、デジタルテレビ１００とコンテンツ提供サーバ２００との間の通信回線の状況（例えば、伝送帯域の状態情報）を利用して、ＤＬ所要時間を算出してもよい。
【０２１６】
取得指示部３３は、高品質コンテンツ取得部２３に対して、所定の高品質コンテンツのＤＬを実行するよう指示するものである。より具体的には、取得指示部３３は、時刻取得部３１が取得した上記受付時刻に、取得時間算出部３２が算出した上記所要時間を加算する。操作受付部１２が受け付けた指示が視聴予約であった場合、その加算された結果の時刻（取得完了時刻）が、当該視聴予約指示により指定された放送コンテンツの放送開始日時よりも後であるときは、高品質コンテンツを本放送に間に合わせることができないため、取得指示部３３は、高品質コンテンツ取得部２３にＤＬ実行の指示を送らないようにする。このとき、ユーザ所望の高品質データをＤＬしない旨をユーザに通知してもよい。これにより、ユーザは、高品質コンテンツが放送日時に間に合わないことを認識することができる。
【０２１７】
また、操作受付部１２が受け付けた指示が録画予約であった場合、高品質コンテンツ取得部２３に録画用高品質データのＤＬ実行の指示を送るとともに、その加算された結果の時刻をユーザに提示してもよい。あるいは、結果の時刻と現在時刻との差分から、あとどのくらいでＤＬが完了するかを通知してもよい。これにより、ユーザは、録画された高品質コンテンツをいつ以降再生できるのかを知ることができる。
【０２１８】
（コンテンツ提供サーバの構成）
次に、デジタルテレビ１００に高品質データを供給し、その課金処理を実行するコンテンツ提供サーバ２００について説明する。
【０２１９】
図１１は、本実施形態に係るコンテンツ提供サーバ２００の要部構成を示すブロック図である。コンテンツ提供サーバ２００は、図１１に示すとおり、外部の装置と通信を行うための通信インターフェース３０、コンテンツ提供サーバ２００を統括制御する制御部６０、および、制御部６０が各種処理を実行する際に、読み出し・書き込みを行う種々のデータを記録するための記録部５０を備えた構成となっている。
【０２２０】
記録部５０は、高品質データ記録部５１、ＥＰＧ記録部５２、予約情報記録部５３、および、課金情報記録部５４を含んでいる。
【０２２１】
高品質データ記録部５１は、放送局３００（図８（ａ））から取得した、高品質データＣ２を放送コンテンツごとに記録するものである。なお、本実施形態における高品質データの管理情報のフォーマットは、図１２（ｂ）とほぼ同様である。異なる点は、「要求化ステータス」および「保存ステータス」の項目の代わりに、当該高品質データをどの放送局３００から取得したかを示す「放送局ＩＤ」の項目を含んでいる点である。また、いつ取得したかを示す「取得日時」を項目を含めてもよい。
【０２２２】
ＥＰＧ記録部５２は、ＥＰＧデータから抽出した放送コンテンツごとのコンテンツ情報をデータベース化して記録するものである。なお、本実施形態におけるコンテンツ情報のフォーマットは、図１２（ａ）に示すフォーマットと同様であるのでここでは説明を繰り返さない。
【０２２３】
予約情報記録部５３は、デジタルテレビ１００より受け付けた予約情報Ｄ１（図８（ａ））を、ユーザごと、および、コンテンツごとに記録するものである。予約情報記録部５３に記録される各予約情報に基づいて、高品質データが適切なタイミングでユーザに配信される。予約情報のフォーマットの詳細については後述する。
【０２２４】
課金情報記録部５４は、デジタルテレビ１００より受け付けた視聴情報Ｄ２（図８（ａ））を、ユーザごと、および、コンテンツごとに記録するものである。課金情報記録部５４に記録される各視聴情報に基づいて、利用された高品質データに関する課金処理が実行され、適正に視聴料金が回収される。視聴情報のフォーマットの詳細については後述する。
【０２２５】
予約受付部６１は、デジタルテレビ１００より予約情報Ｄ１（図８（ａ））を受け付けて、予約情報記録部５３に記録される各予約情報を管理するものである。より具体的には、デジタルテレビ１００より受信した予約情報（図１２（ｃ））を受信し、該予約情報をユーザごと、および、コンテンツごとに格納する。
【０２２６】
本実施形態における、ユーザごとコンテンツごとに記録される予約情報のフォーマットを図１３（ａ）に示す。図１３（ａ）に示す「予約Ｎｏ」には、予約情報を一意に管理するための識別情報を記録する。「ユーザＩＤ」「コンテンツＩＤ」「放送開始日時」に記録される情報は、図１２（ｃ）に示す同項目名の情報に対応している。なお、上記「コンテンツＩＤ」は、ＥＰＧ記録部５２に記録されている「コンテンツＩＤ」と対応しているので、コンテンツ提供サーバ２００は、デジタルテレビ１００が参照する同じＥＰＧデータを用いて放送コンテンツを識別し、放送コンテンツに関連付けられているその他のコンテンツ情報を参照することが可能である。
【０２２７】
「視聴料金」は、当該コンテンツＩＤを有する放送コンテンツに対応している高品質データの代価を示しており、当該高品質データがユーザによって利用されたのちに、ユーザに対して請求する視聴料金の金額の情報を記録している。「供給ステータス」は、要求された高品質データの供給の進捗を示す情報を記録する。
【０２２８】
高品質データ配信部６２は、予約情報記録部５３に記録される予約情報に基づいて、高品質データ記録部５１に記録される適切な高品質データを適切なタイミングで配信するものである。適切なタイミングとは、高品質データの送信の完了が、元の放送コンテンツの放送開始時刻よりも前になるタイミングのことである。つまり、高品質データ配信部６２は、送信すべき高品質データの容量と、通信回線の込み具合などから推測される配信所要時間に基づいて、高品質データの配信開始のタイミングを決定する。高品質データ配信部６２は、供給中の高品質データの供給完了時刻が、当該高品質データが対応する放送コンテンツの放送開始日時に間に合わないと判定した場合は、配信を取り止めて、その旨を通知するメッセージを供給先のデジタルテレビ１００に送信してもよい。
【０２２９】
課金処理部６３は、高品質データを利用した旨を通知する視聴情報（利用通知メッセージ）を、デジタルテレビ１００から受け付けて課金処理を行うものである。より具体的には、視聴情報に基づいて、図１３（ｂ）に示す課金情報を生成し、各課金情報をユーザごと、および、コンテンツごとに課金情報記録部５４に格納する。
【０２３０】
本実施形態における、ユーザごとコンテンツごとに記録される課金情報のフォーマットを図１３（ｂ）に示す。図１３（ｂ）に示す「請求Ｎｏ」には、課金情報（視聴情報）を一意に管理するための識別情報を記録する。「ユーザＩＤ」「コンテンツＩＤ」「視聴料金」に記録される情報は、図１３（ａ）に示す同項目名の情報に対応している。「放送局ＩＤ」は、利用された（視聴情報に含まれる）高品質コンテンツの提供元、すなわち、サービスプロバイダ２にとっての使用料支払先を特定する情報を記録する。「使用料」は、サービスプロバイダ２が放送局３００に対して支払うべき使用料の金額の情報を記録する。なお、代行手数料があらかじめ定まっている場合は、「代行手数料」の項目を追加して、放送局３００から回収する代行手数料の金額の情報を記録してもよい。
【０２３１】
「決済ステータス」は、課金処理の進捗を示す情報を記録する。例えば、（ユーザに視聴料金を）『請求済み』、『視聴料金回収済み』、『（放送局に使用料を）支払済み』、または、『（放送局から）代行手数料回収済み』などを示す情報である。
【０２３２】
上記構成によれば、コンテンツ提供サーバ２００の予約受付部６１は、ユーザ３のデジタルテレビ１００より、高品質データの要求を受け付けて、予約情報を管理する。高品質データ配信部６２は、上記予約情報に基づいて、要求のあった高品質データを適切なタイミングでデジタルテレビ１００に配信する。デジタルテレビ１００にて、高品質データが利用されると、課金処理部６３は、デジタルテレビ１００から視聴情報を受け付けて、課金情報を管理し、利用された高品質データの代価の請求・回収が適切に行われる。
【０２３３】
これにより、ユーザ３は、コンテンツ提供サーバ２００に視聴料を支払うことによって、コンテンツ提供サーバ２００から所望の高品質データを取得して、デジタルテレビ１００で高品質コンテンツを視聴することができる。
【０２３４】
したがって、放送波で送信される圧縮されたデジタルコンテンツについて、ユーザが視聴するためのデジタルコンテンツを、高品質なままに提供する高品質コンテンツ配信システム１を構築することが可能となる。
【０２３５】
さらに、高品質コンテンツ配信システム１において、サービスプロバイダ２は、放送局３００より提供された高品質データを用い、放送局３００より代行手数料Ｆ３を得て、業としての高品質コンテンツ視聴サービスをユーザに提供することが可能となる。一方、放送局３００にとっては、通常圧縮技術によってユーザに提供されないまま削減されていた圧縮前のデータ（高品質コンテンツ）を、そのまま、あるいは、補正前後の差分データを生成して提供することが可能となる。これにより、製作により生み出された情報資源を有効活用し、コンテンツ提供サーバ２００から使用料として利益を得ることができる。
【０２３６】
なお、本実施形態では、高品質データの供給元としての放送コンテンツ供給装置３０１と、高品質データをユーザ３に提供するコンテンツ提供サーバ２００とを別に構成した高品質コンテンツ配信システム１について説明したが、本発明はこれに限定されない。
【０２３７】
サービスプロバイダ２が放送局３００を兼ねている場合（あるいは、放送局３００がサービスプロバイダ２を兼ねている場合）、放送コンテンツを伝送するとともに、要求に応じて対応する高品質データをユーザ３に直接提供することができる。すなわち、放送コンテンツ供給装置３０１が、本発明のコンテンツ提供サーバ２００の各部を備える（コンテンツ提供サーバ２００が本発明の放送コンテンツ供給装置３０１の各部を備える）構成としてもよい。
【０２３８】
次に、デジタルテレビ１００の表示部１１４（図２）に表示される、視聴（録画）予約のための操作画面について、図面に基づいて説明する。ここでは、例として、（１）視聴予約を行うための操作画面と、（２）視聴予約後に視聴予約をキャンセルするための操作画面とについて説明する。しかし、以下の説明は、本発明に係るデジタルテレビ１００において実現される操作画面上での操作を、視聴予約に限定するものではない。
【０２３９】
（操作画面例１−視聴（録画）予約時）
図１４は、高品質コンテンツ配信システム１におけるデジタルテレビ１００の表示部１１４（図２）に表示される、視聴（録画）予約時の操作画面の例およびその遷移を示す図である。なお、図１４に示す各操作画面（操作画面１４ａ〜１４ｅ）は、グラフィックス生成部１０３においてＯＳＤ情報として生成され、表示制御部１３によって表示部１１４に表示されたものである。
【０２４０】
操作画面１４ａは、デジタルテレビ１００の操作部１０７を介して、ユーザにより、電子番組表（ＥＰＧ）を視聴（録画）予約のために表示する指示が入力された場合に表示される操作画面である。操作画面１４ａが示すＥＰＧは、横軸が放送時間情報１４１、縦軸がチャンネル番号情報１４２を表している。番組表示欄１４３に表示される、番組（放送コンテンツ）を表すマスは、その縦の表示位置をチャンネルに応じて、また、マスの横の長さを、放送時間帯に応じて決定されている。本実施形態では、このマスをユーザが操作部１０７を用いて選択することにより、当該マスに記される番組（放送コンテンツ）についての視聴（録画）予約の指示が入力される。
【０２４１】
なお、操作画面１４ａにおけるＥＰＧの表示領域外には、番組の詳細情報を表示する番組情報ボタンや、ジャンルにより所望の番組を検索するためのジャンル検索ボタンや、視聴（録画）予約状況の確認を行うための予約リストボタン１４４や、操作部１０７に設けられたキーで画面切り換えなどを行うための操作ボタンの説明などが表示されていてもよい。
【０２４２】
操作部１０７を介してユーザよりマス（放送コンテンツ）が選択されると、次に、番組予約方法を選択するための操作画面１４ｂが表示される。番組予約方法の選択メニュー１４５が表示され、予約方法の選択肢として、「視聴予約ボタン」、「録画予約ボタン」、「予約しないボタン」が表示される。なお、操作画面１４ｂにおける選択メニュー１４５の表示領域以外には、番組の出演者などの番組情報が表示されてもよい。
【０２４３】
「予約しないボタン」が選択された場合は、操作画面１４ａが再び表示される。一方、「視聴（録画）予約ボタン」が選択されると、次に、選択された予約番組の種別（ノーマルコンテンツ（放送コンテンツ）か、高品質コンテンツか）を指定するための操作画面１４ｃが表示される。
【０２４４】
操作画面１４ｃには、予約番組の種別を選択するための選択メニュー１４６が表示され、種別の選択肢として、「高品質ボタン」、「ノーマルボタン」、「戻るボタン」が表示される。「戻るボタン」が選択された場合には、操作画面１４ｂが再び表示される。「ノーマルボタン」が選択された場合には、課金対象ではない、通常の番組の視聴（録画）予約処理が実行される。
【０２４５】
「高品質ボタン」が選択された場合には、次に、課金情報などの予約番組に関する詳細情報を通知するための操作画面１４ｄが表示される。
【０２４６】
操作画面１４ｄには、予約番組に関する詳細情報１４７が表示される。詳細情報１４７には、例えば、映像・音声のフォーマット情報、字幕の有無、付随してデータが存在するか否かの情報、コンテンツのデータ量、録画可能か否かの判定情報、および、当該予約番組に対応する高品質コンテンツの料金情報が表示される。また、高品質コンテンツを選択した操作に対して、それを取り消すための「取消ボタン」、および、上記高品質コンテンツ選択を確定させるための予約ボタン１４８が表示される。
【０２４７】
「取消ボタン」が選択された場合には、高品質コンテンツの選択が取り消され、操作画面１４ｃが再び表示される。
【０２４８】
予約ボタン１４８が選択された場合には、次に、高品質コンテンツでの視聴（録画）予約結果確認画面としての操作画面１４ｅが表示される。予約ボタン１４８が選択されたことにより、サービスプロバイダ２（図８（ａ））のコンテンツ提供サーバ２００に対して、高品質コンテンツを要求する要求信号（図１２（ｃ））がネットワークを通じて送信される。要求信号には、課金処理のためのユーザ情報５が含まれている。
【０２４９】
操作画面１４ｅには、予約された高品質コンテンツの確認メニュー１４９が表示される。ここで、視聴料金の情報が再度表示されてもよい。なお、「戻るボタン」が選択された場合、操作画面１４ｄが再び表示される。
【０２５０】
（操作画面例２−予約確認・取消時）
図１５は、高品質コンテンツ配信システム１におけるデジタルテレビ１００の表示部１１４（図２）に表示される、予約確認・取消時の操作画面の例およびその遷移を示す図である。なお、図１５に示す各操作画面（操作画面１５ａ〜１４ｄ）は、グラフィックス生成部１０３においてＯＳＤ情報として生成され、表示制御部１３によって表示部１１４に表示されたものである。
【０２５１】
操作画面１５ａは、操作画面１４ａにおいて表示されている予約リストボタン１４４が選択された場合に表示される、予約状況を確認するための予約リストを表示するための操作画面である。操作画面１５ａの予約リストには、予約番組ごとに、放送時間、チャンネル、番組名が表示される。また、予約番組ごとに、予約された番組が視聴されたか否かを示す視聴フラグが表示されてもよい。
【０２５２】
ここで、予約リストに挙げられているある予約番組の情報１５１が選択された場合、その予約番組のさらに詳細な予約番組情報を表示するための操作画面１５ｂが、次に表示される。予約番組情報の詳細情報１５２としては、例えば、操作画面１４ｄにおける詳細情報１４７に加えて、予約されているコンテンツが、ノーマルコンテンツ（放送コンテンツ）か、高品質コンテンツか示す種別情報が表示される。さらに、当該選択されている予約番組対して実行可能な操作の選択肢として、取消ボタン１５３、「変更ボタン」、「変更しないボタン」が表示される。
【０２５３】
「変更しないボタン」が選択された場合には、操作画面１５ａが再び表示される。「変更ボタン」が選択された場合には、操作画面１４ｃが再び表示され、改めて予約番組の種別を選択することが可能になる。
【０２５４】
取消ボタン１５３が選択された場合には、予約番組の取消操作を行うための操作画面１５ｃが表示される。操作画面１５ｃでは、取消操作の選択肢として、（取消を）「するボタン」と「しないボタン」が表示される。「しないボタン」が選択された場合には、操作画面１５ｂが再び表示される。
【０２５５】
一方「するボタン」が選択された場合には、予約番組の取消処理の結果を表示するための操作画面１５ｄが、次に表示される。操作画面１５ｄでは、予約番組を取り消した旨を通知するメッセージが表示される。なお、「戻るボタン」を表示して、選択された場合に、操作画面１４ａが再び表示されるようにしてもよい。以上のようにして、予約番組の取消操作を終了することができる。
【０２５６】
以上のように、高品質コンテンツに対する視聴（録画）予約のためのユーザの操作は、通常放送される放送コンテンツの予約指示の操作と共通にできる。したがって、高品質コンテンツを視聴するために別途繁雑な操作行う必要がなくなり、ユーザの手間を軽減することが可能となる。
【０２５７】
また、デジタルテレビ１００においては、高品質コンテンツの指定処理の多くを、放送される放送コンテンツの指定処理と共通にできるので、それぞれを処理する部材の多くを共通にでき、本発明のコンテンツ再生装置としてのデジタルテレビ１００の構成を簡略化できる。
【０２５８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２５９】
最後に、デジタルテレビ１００、コンテンツ提供サーバ２００、および、放送コンテンツ供給装置３０１の各ブロック、特に高品質コンテンツ取得部２３、コンテンツ再生部２４、および、コンテンツ補正制御部２６は、ハードウェアロジックによって構成してもよいし、次のようにＣＰＵを用いてソフトウェアによって実現してもよい。
【０２６０】
すなわち、デジタルテレビ１００、コンテンツ提供サーバ２００、および、放送コンテンツ供給装置３０１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるデジタルテレビ１００、コンテンツ提供サーバ２００、および、放送コンテンツ供給装置３０１の制御プログラムのプログラムコード（実行形式プログラム、中間コードプログラム、ソースプログラム）をコンピュータで読み取り可能に記録した記録媒体を、上記デジタルテレビ１００、コンテンツ提供サーバ２００、および、放送コンテンツ供給装置３０１に供給し、そのコンピュータ（またはＣＰＵやＭＰＵ）が記録媒体に記録されているプログラムコードを読み出し実行することによっても、達成可能である。
【０２６１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２６２】
また、デジタルテレビ１００、コンテンツ提供サーバ２００、および、放送コンテンツ供給装置３０１を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２６３】
（補足事項）
なお、本発明のコンテンツ再生装置は、放送局から放送波に冗長した放送番組などのコンテンツを含む放送用コンテンツを受信し、再生するものであり、ユーザが放送波に冗長している放送用コンテンツよりも、その放送用コンテンツに対応する高品位なコンテンツを要求、又は、その高品位（高品質）コンテンツを受信することが可能なネットワークインターフェース部を備え、高品位コンテンツを一時的に保存する映像保存用メモリを備え、ユーザが高品位なコンテンツを視聴する場合には、通常の放送用コンテンツに換わり、一時的に映像保存用メモリに保存された高品位コンテンツを映像受信装置のディスプレイに出力することを特徴とする。
【０２６４】
ここで、高品位コンテンツとは、番組や映画等を製作する時の劣化のないコンテンツを意味し、放送用コンテンツとは、高品位コンテンツを放送波に冗長するためにＭＰＥＧ２などの圧縮技術を利用して劣化させたコンテンツを意味する。
【０２６５】
また、上記コンテンツ再生装置は、放送局から放送波に冗長した放送番組などのコンテンツを含む放送用コンテンツを受信し、再生するものであり、ユーザが放送波に冗長している放送用コンテンツを高品位コンテンツに再現可能な補正情報を要求、又は、その補正情報を受信することが可能なネットワークインターフェース部を備え、補正情報を一時的に保存する補正情報保存用メモリを備え、ユーザが高品位なコンテンツを視聴する場合には、通常の放送用コンテンツに換わり、一時的に補正情報保存用メモリに保存された補正情報によって、放送用コンテンツを補正し、補正後のコンテンツを映像受信装置のディスプレイに出力することを特徴とする。
【０２６６】
また、補正情報とは、高品位コンテンツを放送用コンテンツに変換する時のＭＰＥＧ２圧縮技術の前処理であるサブサンプリング時の原映像コンテンツとの差分値であることを特徴とする。
【０２６７】
また、ユーザが放送波を受信してコンテンツ再生装置で放送波に冗長される放送波コンテンツを視聴する方法において、放送波に冗長する放送波コンテンツを作成する放送局では、高品位コンテンツを所有しており、その高品位コンテンツを、ネットワークを利用してユーザが視聴するコンテンツ再生装置に配送するサービスを提供するプロバイダが存在し、プロバイダは放送局に対して、高品位コンテンツを配送するための代行手数料を放送局から徴収し、ユーザがコンテンツ再生装置で高品位コンテンツを視聴した場合には、視聴料をプロバイダが徴収し、視聴料と代行手数料の差額を放送局が徴収することにより、ユーザが放送波コンテンツよりも高品位なコンテンツを視聴できることを特徴とする。
【産業上の利用可能性】
【０２６８】
本発明の高品質コンテンツ配信システムによれば、圧縮技術により劣化させた放送コンテンツに対応した高品質コンテンツを受信側で再生させることが可能となる。したがって、非可逆圧縮符号化方式により劣化させられた、映像データ、音声データ、画像データなどを、高品質なままに提供する種々の高品質コンテンツ配信システムに適用することができる。また、サービスプロバイダを設定することにより、放送コンテンツ供給元である放送局とコンテンツ再生装置を有するユーザとの間において、コンテンツを高品質なまま提供するための高品質データのやり取りを円滑におこない、それをサービスとして提供し、利潤を得る高品質コンテンツ配信システムを構築することが可能である。そのため、高品質コンテンツを再生するためのコンテンツ再生装置は、上記放送コンテンツおよび、高品質コンテンツを再生するために必要な高品質データを取得可能な各種視聴覚機器、例えば、デジタルテレビ、ＴＶチューナ付き携帯電話、ラジオなどに適用することができる。
【図面の簡単な説明】
【０２６９】
【図１】本発明の実施形態に係るデジタルテレビとしてのコンテンツ再生装置の要部構成を示すブロック図である。
【図２】本発明の実施形態に係るデジタルテレビとしてのコンテンツ再生装置の概略構成を示すブロック図である。
【図３】本発明の実施形態に係るデジタルテレビの高品質コンテンツ再生処理の処理の流れを示すフローチャートである。
【図４】本発明の他の実施形態に係るデジタルテレビとしてのコンテンツ再生装置の要部構成を示すブロック図である。
【図５】図２に示す補正部の要部構成を示すブロック図である。
【図６】図５に示すビデオデコーダの要部構成を示すブロック図である。
【図７】補正情報記録部に記録される補正情報のフォーマットの例を示す図である。
【図８】（ａ）は、本発明の実施形態に係る高品質コンテンツ配信システムの概略構成を示す図であり、（ｂ）は、（ａ）に示す放送コンテンツ供給装置の要部構成を示すブロック図である。
【図９】本発明の他の実施形態に係るデジタルテレビとしてのコンテンツ再生装置の要部構成を示すブロック図である。
【図１０】図９に示すコンテンツ取得制御部の詳細を示すブロック図である。
【図１１】本発明の実施形態に係るコンテンツ提供サーバ２００の要部構成を示すブロック図である。
【図１２】（ａ）は、ＥＰＧ記録部に記録されるコンテンツ情報のフォーマットの例を示す図であり、（ｂ）は、高品質コンテンツ記録部に記録される高品質コンテンツの管理情報のフォーマットの例を示す図であり、（ｃ）は、高品質コンテンツ取得部が、高品質コンテンツをコンテンツ提供サーバに要求するときの要求信号のフォーマットの例を示す図である。
【図１３】（ａ）は、ユーザごとコンテンツごとに予約情報記録部に記録される予約情報のフォーマットの例を示す図であり、（ｂ）は、ユーザごとコンテンツごとに課金情報記録部記録される課金情報のフォーマットの例を示す図である。
【図１４】高品質コンテンツ配信システムにおけるデジタルテレビに表示される、視聴（録画）予約時の操作画面の例を示す図である。
【図１５】高品質コンテンツ配信システムにおけるデジタルテレビに表示される、予約確認・取消時の操作画面の例を示す図である。
【図１６】従来のコンテンツ圧縮処理の概略を示す図である。
【図１７】従来のサブサンプリング処理の概要を示す図である。
【図１８】サブサンプリング処理時に利用する式を示す図である。
【図１９】従来の量子化処理の概要を示す図である。
【符号の説明】
【０２７０】
１  高品質コンテンツ配信システム（コンテンツ配信システム）
２  サービスプロバイダ
３  ユーザ
１０  入出力制御部
１１  通信制御部
１２  操作受付部（操作受付手段）
１３  表示制御部
２０  コンテンツ再生制御部
２１  選局部（情報取得手段）
２２  ＥＰＧ処理部
２３  高品質コンテンツ取得部（高品質データ取得手段）
２４  コンテンツ再生部（コンテンツ再生手段）
２５  補正情報取得部（高品質データ取得手段）
２６  コンテンツ補正制御部（コンテンツ補正手段）
２７  コンテンツ取得制御部
２８  コンテンツ管理部（コンテンツ管理手段）
３０  通信インターフェース
３１  時刻取得部（時刻取得手段）
３２  取得時間算出部（取得時間算出手段）
３３  取得指示部（取得制御手段）
４０  記録部
４１  高品質コンテンツ記録部（高品質データ記録部）
４２  ＥＰＧ記録部
４３  表示用バッファ
４４  補正情報記録部（高品質データ記録部）
５０  記録部
５１  高品質データ記録部
５２  ＥＰＧ記録部
５３  予約情報記録部
５４  課金情報記録部
６０  制御部
６１  予約受付部（予約受付手段）
６２  高品質データ配信部（高品質データ配信手段）
６３  課金処理部（課金処理手段）
８１  ビデオデコーダ（コンテンツ補正手段）
８２  オーディオデコーダ
８３  タイムスタンプ比較部
８４  ビデオメモリバッファ
８５  オーディオメモリバッファ
９１  ＭＰＥＧ２デコーダ部
９２  ＹＣｒＣｂ変換補正部（コンテンツ補正手段）
９３  補正用データバッファ
９４  タイマ部
１００  デジタルテレビ（コンテンツ再生装置／クライアント端末装置）
１０１  チューナ部（放送受像部）
１０２  補正部
１０３  グラフィックス生成部
１０４  画像重畳部
１０５  外部インターフェース
１０６  コンテンツ出力部
１０７  操作部
１０７ａ  第１操作部
１０７ｂ  第２操作部
１１０  制御部
１１１  ＴＳデコーダ（放送受像部）
１１２  ＡＶデコーダ（放送受像部）
１１３  スピーカ
１１４  表示部
２００  コンテンツ提供サーバ
３００  放送局
３０１  放送コンテンツ供給装置
３１０  制御部
３１１  高品質データ送信部
３１２  放送コンテンツ伝送部
３１３  放送コンテンツ作成部（放送コンテンツ作成手段）
３１４  補正情報作成部（補正情報作成手段）
３２０  記録部
３２１  高品質コンテンツ記録部
３２２  放送コンテンツ記録部
３２３  補正情報記録部
【図１】
2007189554.tif 000003
【図２】
2007189554.tif 000004
【図３】
2007189554.tif 000005
【図４】
2007189554.tif 000006
【図５】
2007189554.tif 000007
【図６】
2007189554.tif 000008
【図７】
2007189554.tif 000009
【図８】
2007189554.tif 000010
【図９】
2007189554.tif 000011
【図１０】
2007189554.tif 000012
【図１１】
2007189554.tif 000013
【図１２】
2007189554.tif 000014
【図１３】
2007189554.tif 000015
【図１４】
2007189554.tif 000016
【図１５】
2007189554.tif 000017
【図１６】
2007189554.tif 000018
【図１７】
2007189554.tif 000019
【図１８】
2007189554.tif 000020
【図１９】
2007189554.tif 000021